(57)【要約】  本明細書に記載する実施形態は、第１の端から第２の端に延在する少なくとも第１の光ファイバーと、第１の光ファイバーの第１の端に取り付けられ、かつ電気コネクタに電気的に接続された第１のストレージデバイスを含む能動型光モジュール（ＡＯＭ）と、を含むケーブルアセンブリを対象とする。このケーブルアセンブリはまた、第１の光ファイバーの第２の端を終端し、かつ第２のストレージデバイスを含む受動型光コネクタを含む。第１のストレージデバイスは、能動型光モジュールを識別する、その内部に記憶されたＡＯＭ識別子を含み、第２のストレージデバイスは、第１の光ファイバーの第１の端がＡＯＭ識別子と関連付けられていることを示す、その内部に記憶された第１の情報を含む。【選択図】図２
2015531103.tif 000002
【特許請求の範囲】
【請求項１】
ケーブルアセンブリであって、
第１の端から第２の端に延在する少なくとも第１の光ファイバーと、
非コネクタベースの接続を用いて前記第１の光ファイバーの前記第１の端に取り付けられた能動型光モジュール（ＡＯＭ）であって、電気コネクタを含み、前記電気コネクタへの／からの電気信号と、前記第１の光ファイバーの前記第１の端への／からの光信号との間を変換するように構成されており、かつ前記電気コネクタに電気的に接続された第１のストレージデバイスを含む、能動型光モジュール（ＡＯＭ）と、
前記第１の光ファイバーの前記第２の端を終端する受動型光コネクタであって、前記受動型光コネクタが、前記第１の光ファイバー上で搬送される光信号を受信するように構成され、前記受動型光コネクタが第２のストレージデバイスと、前記第２のストレージデバイスに電気的に接続されたストレージデバイスインターフェースとを含み、前記第２のストレージデバイスおよび前記ストレージデバイスインターフェースが、前記第１の光ファイバー上で搬送される前記光信号から隔離される、受動型光コネクタと、
を備え、
前記第１のストレージデバイスが、前記能動型光モジュールを識別する、その内部に記憶されたＡＯＭ識別子を含み、
前記第２のストレージデバイスが、前記第１の光ファイバーの前記第１の端が前記ＡＯＭ識別子を関連付けられていることを示す、その内部に記憶された第１の情報を含み、
それによって、統合点が、前記能動型光モジュールが挿入される第１のポートを前記受動型光コネクタが挿入される第２のポートに、前記第１のポートが、前記ＡＯＭ識別子と関連付けられた、その内部に挿入された能動型光モジュールを有すると判定することによって、かつ、前記第２のポートが、前記ＡＯＭ識別子と関連付けられた前記能動型光モジュールコネクタから反対のケーブルアセンブリの端にある、その内部に挿入された受動型光コネクタを有すると判定することによって、関連付けることが可能である、ケーブルアセンブリ。
【請求項２】
前記ＡＯＭ識別子が、前記能動型光モジュールが接続されるホストデバイスに対して前記ＡＯＭを認証するために用いられる、請求項１に記載のケーブルアセンブリ。
【請求項３】
前記非コネクタベースの接続が、前記ケーブルアセンブリが製造されるときになされる永久接続と、前記能動型光モジュールが前記第１の光ファイバーにスプライスされる半永久接続のうちの１つを含む、請求項１に記載のケーブルアセンブリ。
【請求項４】
前記電気コネクタおよび前記能動型光モジュールが、業界合意（ＭＳＡ）に準拠するコネクタおよびモジュールを含み、前記受動型光コネクタが、二重ＬＣ、ＳＣ、またはＭＰＯのファイバーコネクタを含む、請求項１に記載のケーブルアセンブリ。
【請求項５】
前記第１のストレージデバイスが、前記電気コネクタの制御インターフェースを介する通信用のＩ自乗Ｃ（Ｉ２Ｃ）バスプロトコルに対応する、請求項１に記載のケーブルアセンブリ。
【請求項６】
前記第１の情報が、前記ＡＯＭ識別子を含む、請求項１に記載のケーブルアセンブリ。
【請求項７】
システムであって、
能動型光モジュール（ＡＯＭ）の電気コネクタの接続のための複数のポートを有するホストデバイスと、
受動型光コネクタの接続のための複数のポートを有する受動型光相互接続部と、
前記ホストデバイスと前記受動型光相互接続部との間に接続されるケーブルアセンブリであって、
第１の端から第２の端に延在する少なくとも第１の光ファイバーと、
非コネクタベースの接続を用いて第１の光ファイバーの前記第１の端に取り付けられたＡＯＭであって、前記能動型光モジュールが、前記電気コネクタに電気的に接続された第１のストレージデバイスを含み、前記ＡＯＭが前記ホストデバイスの第１のポートに接続される、ＡＯＭと、
前記第１の光ファイバーの第２の端に取り付けられた受動型光コネクタであって、前記受動型光コネクタが、第２のストレージデバイスと、前記第２のストレージデバイスに電気的に接続されたストレージデバイスインターフェースとを含み、前記第２のストレージデバイスおよび前記ストレージデバイスインターフェースが、前記第１の光ファイバー上で搬送される前記光信号から隔離され、前記受動型光コネクタが、前記受動型光相互接続部の第２のポートに接続される、受動型光コネクタと、を含む、ケーブルアセンブリと、
前記ホストデバイスに通信可能に結合された統合点と、
を備え、
前記第１のストレージデバイスが、前記能動型光モジュールを識別する、その内部に記憶されたＡＯＭ識別子を含み、
前記第２のストレージデバイスが、前記第１の光ファイバーの前記第１の端が前記ＡＯＭ識別子と関連付けられていることを示す、その内部に記憶された第１の情報を含み、
前記ホストデバイスが、前記ＡＯＭ識別子を前記第１のストレージデバイスから獲得して、前記ＡＯＭ識別子を前記統合点に提供するように構成され、
前記受動型光相互接続部と関連付けられたプロセッサが、前記第１の情報を前記第２のストレージデバイスから獲得して、前記第１の情報を前記統合点に提供するように構成され、
前記統合点が、前記ＡＯＭ識別子および前記第１の情報を、前記第１のポートおよび前記第２のポートに対応する物理層情報と統合することにより、前記第１のポートを前記第２のポートと関連付けるように構成される、システム。
【請求項８】
ホストデバイスが、前記ＡＯＭを前記ホストデバイスに対して認証するために前記ＡＯＭ識別子を獲得するように構成される、請求項７に記載のシステム。
【請求項９】
前記ホストデバイスが、スイッチ、ルータ、ゲートウェイ、アクセスポイント、サーバコンピュータ、エンドユーザコンピュータ、家電コンピュータ、またはストレージエリアネットワーク（ＳＡＮ）のノードのうちの１つを備える、請求項７に記載のシステム。
【請求項１０】
前記第１の情報が、前記ＡＯＭ識別子を含む、請求項７に記載のシステム。
【請求項１１】
前記ホストデバイスが、前記ホストデバイスのところのＭＩＢブロック中に前記ＡＯＭ識別子を記憶するように構成され、
前記統合点が、Ｌａｙｅｒ２要求を前記ホストデバイスに対して発行することによって、前記ＭＩＢ中の前記ＡＯＭ識別子を獲得するように構成される、請求項７に記載のシステム。
【請求項１２】
ケーブルアセンブリであって、
第１の端から第２の端に延在する少なくとも第１の光ファイバーと、
非コネクタベースの接続を用いて前記第１の光ファイバーの前記第１の端に取り付けられた能動型光モジュール（ＡＯＭ）であって、電気コネクタを含み、前記電気コネクタへの／からの電気信号と、前記第１の光ファイバーの前記第１の端への／からの光信号との間を変換するように構成されており、かつ前記電気コネクタに電気的に接続される第１のストレージデバイスを含む、能動型光モジュール（ＡＯＭ）と、
前記第１の光ファイバーの前記第２の端を終端する受動型光コネクタであって、前記受動型光コネクタが、前記第１の光ファイバー上で搬送される光信号を受信するように構成され、前記受動型光コネクタが第２のストレージデバイスと、前記第２のストレージデバイスに電気的に接続されたストレージデバイスインターフェースとを含み、前記第２のストレージデバイスおよび前記ストレージデバイスインターフェースが、前記第１の光ファイバー上で搬送される前記光信号から隔離される、受動型光コネクタと、を備え、
前記第１のストレージデバイスが、前記ケーブルアセンブリを識別する、その内部に記憶されたケーブル識別子と、前記ＡＯＭを識別する、その内部に記憶されたＡＯＭ識別子とを含み、前記ＡＯＭ識別子は、前記ＡＯＭを前記ホストデバイスに対して認証するためのものであり、前記ケーブル識別子は、物理層管理のためのものであり、前記ケーブル識別子は、ＡＯＭ情報のためには用いられない前記第１のストレージデバイスのメモリ位置に記憶され、
前記第２のストレージデバイスが、その内部に記憶された前記ケーブル識別子を含み、
それによって、統合点が、前記能動型光モジュールが挿入される第１のポートを前記受動型光コネクタが挿入される第２のポートに、前記第１のポートが、前記ケーブル識別子と関連付けられた、その内部に挿入された能動型光モジュールを有すると判定することによって、かつ、前記第２のポートが、前記ケーブル識別子と関連付けられた、その内部に挿入された受動型光コネクタを有すると判定することによって、関連付けることが可能である、ケーブルアセンブリ。
【請求項１３】
前記第１のストレージデバイス中の情報が複数のフィールドに編成され、前記ＡＯＭ識別子が、業界合意（ＭＳＡ）によって必要とされる第１のフィールドに記憶されて、前記ＡＯＭ識別子に割り当てられ、前記ケーブル識別子が、前記ＭＳＡによって必要とされない第２のフィールド中に記憶される、請求項１２に記載のケーブルアセンブリ。
【請求項１４】
前記第１のストレージデバイス中の情報が複数のフィールドに編成され、前記ＡＯＭ識別子および前記ケーブル識別子が、前記ＭＳＡによって必要とされる第１のフィールドに記憶されて、前記ＡＯＭ識別子に割り当てられる、請求項１２に記載のケーブルアセンブリ。
【請求項１５】
前記ケーブル識別子が、ホストデバイスによる認証のための前記ＡＯＭ識別子の使用に影響しない様式で前記ＡＯＭ識別子と組み合わされる、請求項１４に記載のケーブルアセンブリ。
【請求項１６】
前記第１のストレージデバイス中の情報が複数のフィールドに編成され、前記ＡＯＭ識別子が、前記ＭＳＡによって必要とされる第１のフィールドに記憶されて、前記ＡＯＭ識別子に割り当てられ、前記ケーブル識別子が、前記複数のフィールドのうちの１つの部分ではない未割当スペースに記憶される、請求項１２に記載のケーブルアセンブリ。
【請求項１７】
ケーブルアセンブリであって、
第１の端から第２の端に延在する少なくとも第１の光ファイバーと、
非コネクタベースの接続を用いて前記第１の光ファイバーの前記第１の端に取り付けられた能動型光モジュール（ＡＯＭ）であって、
電気コネクタであって、前記能動型光モジュールが、前記電気コネクタへの／からの電気信号と、前記第１の光ファイバーの前記第１の端への／からの光信号との間を変換するように構成された、電気コネクタと、
前記電気コネクタの１つ以上の接点に結合されるプログラム可能プロセッサと、
前記プログラム可能プロセッサに結合された第１のストレージデバイスであって、ケーブルアセンブリを識別する、その内部に記憶されたケーブル識別子と、前記ＡＯＭを識別する、その内部に記憶されたＡＯＭ識別子とを含み、前記ＡＯＭ識別子が、前記ＡＯＭを、前記電気コネクタに接続されたホストデバイスに対して認証するためのものであり、前記ケーブル識別子が、物理層管理のためのものである、第１のストレージデバイスと、
を備え、
前記プログラム可能プロセッサが、前記第１のストレージデバイスにアクセスするように構成され、前記ＡＯＭ識別子を要求した前記ホストデバイスからの読み出しメッセージに応答して、前記プログラム可能プロセッサは、前記ケーブル識別子の少なくとも一部分を前記ＡＯＭ識別子によって使用されない返送メッセージの一部分に挿入するように構成された能動型光モジュール（ＡＯＭ）と、
前記第１の光ファイバーの前記第２の端を終端する受動型光コネクタであって、前記第１の光ファイバー上で搬送される光信号を受信するように構成され、第２のストレージデバイスと、前記第２のストレージデバイスに電気的に接続されたストレージデバイスインターフェースとを含み、前記第２のストレージデバイスおよび前記ストレージデバイスインターフェースが、前記第１の光ファイバー上で搬送される前記光信号から隔離され、前記第２のストレージデバイスが、その内部に記憶されたケーブル識別子を含む、受動型光コネクタと、
を備え、
それによって、統合点が、前記能動型光モジュールが挿入される第１のポートを前記受動型光コネクタが挿入される第２のポートに対して、前記第１のポートが、前記ケーブル識別子と関連付けられた、その内部に挿入された能動型光モジュールを有すると判定することによって、かつ、前記第２のポートが、前記ケーブル識別子と関連付けられた、その内部に挿入された受動型光コネクタを有すると判定することによって、関連付けることが可能である、
ケーブルアセンブリ。
【請求項１８】
前記ケーブル識別子の前記少なくとも一部分が、前記ＡＯＭ識別子に割り当てられた前記返送メッセージ中のフィールドに挿入され、前記ケーブルの前記少なくとも一部分が、前記ＡＯＭ識別子によって用いられない前記フィールドの部分に挿入される、請求項１７に記載のケーブルアセンブリ。
【請求項１９】
前記ケーブル識別子の前記少なくとも一部分が、前記ＡＯＭ識別子と連結される、請求項１８に記載のケーブルアセンブリ。
【請求項２０】
プラギング可能光学トランシーバであって、
電気信号を通信するための第１の端のところの電気コネクタと、
１つ以上の光ファイバーへの／からの光信号を通信するための第２の端のところの１つ以上の光アダプタと、
前記第２の端のところのストレージデバイスインターフェースであって、前記１つ以上の光ファイバー上の対応するストレージデバイスインターフェースに接触するように構成される、ストレージデバイスインターフェースと、
前記１つ以上の光ファイバー上で送信するために、前記電気コネクタからの電気信号を光信号に変換する送信機光アセンブリ（ＴＯＳＡ）と、
前記電気コネクタから送出するために、前記１つ以上の光ファイバーからの光信号を電気信号に変換する受信機光アセンブリ（ＲＯＳＡ）と、
前記ＴＯＳＡおよびＲＯＳＡを制御するコントローラと、
前記ストレージデバイスインターフェースと、前記電気コネクタの１つ以上の接点とに結合されたプログラム可能プロセッサであって、前記ストレージデバイスインターフェースを介して前記１つ以上の光ファイバーでストレージデバイスにアクセスして、それから得られた物理層管理（ＰＬＭ）情報を前記電気コネクタに接続されたホストデバイスに提供するように構成された、プログラム可能プロセッサと、
を備える、プラギング可能光学トランシーバ。
【請求項２１】
前記プログラム可能プロセッサに結合された第２のストレージデバイスを備え、
ＡＯＭ情報が前記プラギング可能光学トランシーバを前記ホストデバイスに対して認証するために前記第２のストレージデバイス中に記憶され、
前記プログラム可能プロセッサが、前記ＡＯＭ情報を前記ホストデバイスに提供するように構成される、請求項２０に記載のプラギング可能光学トランシーバ。
【請求項２２】
前記プログラム可能プロセッサが、前記ホストデバイスからの読み出しメッセージに応答して、前記ＡＯＭ情報を前記ホストデバイスに提供するように構成される、請求項２１に記載のプラギング可能光学トランシーバ。
【請求項２３】
前記プログラム可能プロセッサが、前記ＡＯＭ情報と共に、前記ＰＬＭ情報の少なくとも一部分を前記ホストデバイスに提供するように構成される、請求項２２に記載のプラギング可能光学トランシーバ。
【請求項２４】
前記プログラム可能プロセッサが、前記ＰＬＭ情報の前記少なくとも一部分を前記ＡＯＭ情報によって用いられない前記返送メッセージの一部分に挿入するように構成される、請求項２３に記載のプラギング可能光学トランシーバ。
【請求項２５】
前記ＰＬＭ情報がケーブル識別子を含む、請求項２４に記載のプラギング可能光学トランシーバ。
【請求項２６】
前記ＡＯＭ情報がＡＯＭ識別子を含み、前記ＰＬＭ情報の前記少なくとも一部分が、前記ＡＯＭ識別子に割り当てられた前記返送メッセージ中のフィールドに挿入され、前記ＰＬＭ情報の前記少なくとも一部分が、前記ＡＯＭ識別子によって用いられない前記フィールドの部分に挿入される、請求項２４に記載のプラギング可能光学トランシーバ。
【請求項２７】
前記ＰＬＭ情報の前記少なくとも一部分が、前記ＡＯＭ識別子と連結される、請求項２６に記載のプラギング可能光学トランシーバ。
【請求項２８】
システムであって、
ホストデバイスと、
前記ホストデバイスに接続されたプラギング可能光学トランシーバであって、
電気信号を通信するための第１の端のところの電気コネクタであって、前記ホストデバイスの第１のポートに接続された、電気コネクタと、
光信号を通信するための、第２の端のところの１つ以上の光アダプタと、
前記第２の端のところの第１のストレージデバイスインターフェースと、
前記第１のストレージデバイスインターフェースと、前記電気コネクタの１つ以上の接点とに結合されたプログラム可能プロセッサと、を含むプラギング可能光学トランシーバと、
第１の端上に第１の受動型光コネクタを有する光ファイバーケーブルであって、前記第１の受動型光コネクタが、第１のストレージデバイスと、これと関連付けられた第２のストレージデバイスインターフェースとを有し、前記第１の受動型光コネクタが、前記プラギング可能光学トランシーバの前記１つ以上の光アダプタに接続され、前記第２のストレージデバイスインターフェースが、前記第１のストレージデバイスインターフェースに接触する、光ファイバーケーブルと、
前記ホストデバイスに通信可能に結合された統合点と、
を備え、
前記プログラム可能プロセッサが、前記第１のストレージデバイスインターフェースを介して前記光ファイバーケーブルで前記第１のストレージデバイスにアクセスして、それから得られた物理層管理（ＰＬＭ）情報を前記ホストデバイスに提供するように構成され、
前記ホストデバイスが、前記プラギング可能光学トランシーバに読み出しメッセージを送出して、それからＡＯＭ情報を獲得するように構成され、
前記プラギング可能光学トランシーバの前記プログラム可能プロセッサが、前記ホストデバイスからの前記読み出しメッセージに応答して、返送メッセージ中に前記ＡＯＭ情報と共に、前記第１のストレージデバイスから得られた前記ＰＬＭ情報を含むように構成され、
前記ホストデバイスが、前記ＰＬＭ情報を前記統合点に提供するように構成される、
システム。
【請求項２９】
前記ホストデバイスが、前記ＡＯＭ情報および前記ＰＬＭ情報を、前記ホストデバイスのところのＭＩＢブロック中に記憶するように構成され、
前記統合点が、Ｌａｙｅｒ２要求を前記ホストデバイスに対して発行することによって、前記ＭＩＢ中の前記ＰＬＭ識別子を獲得するように構成される、請求項２８に記載のシステム。
【請求項３０】
前記ＰＬＭ情報が、前記ＡＯＭ情報で用いられない前記読み出しメッセージの一部分に挿入される、請求項２８に記載のシステム。
【請求項３１】
前記プログラム可能プロセッサが、前記１つ以上の接点上で前記ホストデバイスに送出されるメッセージ用のＩ２Ｃ（Ｉ自乗Ｃ）インターフェースに適合するように構成される、請求項２８に記載のシステム。
【請求項３２】
前記ＡＯＭ情報がＡＯＭ識別子を含み、前記ＰＬＭ情報がケーブル識別子を含む、請求項２８に記載のシステム。
【請求項３３】
受動型光コネクタの接続のための複数のポートを有する受動型光相互接続部を備え、
前記光ファイバーケーブルが、前記第２の端上に第２の受動型光コネクタを含み、前記第２の受動型光コネクタが、前記受動型光相互接続部の第２のポートに接続され、前記第２の受動型光コネクタが、それと関連付けられた第２のストレージデバイスを有し、
前記受動型光相互接続部と関連付けられたプロセッサが、前記第２のストレージデバイスから第２のＰＬＭ情報を獲得して前記第２のＰＬＭ情報を前記統合点に提供するように構成され、
前記統合点が、前記第１のストレージデバイスからの前記ＰＬＭ情報および前記第２のストレージデバイスからの前記第２のＰＬＭ情報を、前記第１のポートおよび前記第２のポートに対応する物理層情報と統合することによって、前記第１のポートを前記第２のポートに関連付けるように構成される、
請求項２８に記載のシステム。
【発明の詳細な説明】
【技術分野】
【０００１】
関連出願の相互参照
【０００２】
本出願は、２０１２年６月２５日に出願された米国仮特許出願第６１／６６３、９０７号の恩典を主張するものであり、これは参照により本明細書に組み込まれる。
【背景技術】
【０００３】
従来の物理層管理（ＰＬＭ）システムは、一般的には、パッチパネルに作られた接続部を追跡するように設計されている。すなわち、歴史的に標準とされるＰＬＭシステムは、「パッチパネル中心的」であり、ネットワーク中の他のタイプのデバイスおよびシステムに作られた接続部を追跡する機能性を含んではいなかった。例えば、このようなＰＬＭシステムは、一般的には、スイッチ、ルータ、ハブ、ゲートウェイ、アクセスポイント、サーバコンピュータ、エンドユーザコンピュータ、（ネットワーク接続ストレージ（ＮＡＳ）デバイスなどの）家電コンピュータ、および、ストレージエリアネットワーク（ＳＡＮ）もしくは他のタイプのデバイス（本明細書では「ホストデバイス」または単に「ホスト」とも呼ばれる）のノードに作られた接続部を自動的に追跡することはない。このようなホストに関する情報を管理し、かつ収集するために用いられる管理システムは存在するとはいえ、このような管理システムは、一般的には、パッチパネルに作られた接続部を追跡するために用いられるＰＬＭシステムから分離している。
【発明の概要】
【発明が解決しようとする課題】
【０００４】
一部のタイプのホストデバイスにとっては、このようなデバイスで用いられるケーブル配線は、ネットワークの別のところで用いられるケーブル配線（例えば、パッチパネルで用いられるケーブル配線）とは異なる。例えば、一部のホストデバイスは、一対の光ファイバーの少なくとも一方の端に取り付けられた光学トランシーバモジュールを含むいわゆる「能動型電子ケーブル」を利用している。すなわち、能動型光モジュールは、ホストデバイスに統合されるのではなくてケーブルアセンブリの一部である。能動型光モジュールは、信号がファイバー対を介して送信および受信されるために必要な電気から光（Ｅ／Ｏ）および光から電気（Ｏ／Ｅ）への変換を実施する能動型光構成要素を含む。スイッチは、電気的インターフェースを用いて能動型光モジュールと相互作用する。このようなホストデバイスで用いられるケーブル配線とパッチパネルで用いられるケーブル配線との相違の結果、パッチパネルにおける接続部を追跡するために用いられるＰＬＭ技術は、歴史的には、このようなホストデバイスで作られた接続部を追跡するためには用いられてこなかった。この１つの結果が、ＰＬＭシステムは、一般的には、このようなホストデバイスに対して作られた接続部に関する情報を入手できないことである。
【課題を解決するための手段】
【０００５】
１つの実施形態は、第１の端から第２の端に延在する少なくとも第１の光ファイバーと、第１の光ファイバーの第１の端に取り付けられ、かつ電気コネクタに電気的に接続された第１のストレージデバイスを含む能動型光モジュール（ＡＯＭ）と、を含むケーブルアセンブリを対象とする。このケーブルアセンブリはまた、第１の光ファイバーの第２の端を終端し、かつ第２のストレージデバイスを含む受動型光コネクタを含む。第１のストレージデバイスは、能動型光モジュールを識別するＡＯＭ識別子を内部に含み、第２のストレージデバイスは、第１の光ファイバーの第１の端がＡＯＭ識別子と関連付けられていることを示す第１の情報を内部に含む。
【図面の簡単な説明】
【０００６】
【図１】物理的通信媒体の端と関連付けられた能動型光モジュールを有する物理的通信媒体を含む例としてのシステムのブロック図である
【図２】図１のシステムの物理的通信媒体の例のブロック図である。
【図３】図１のシステムの物理的通信媒体の別の例のブロック図である。
【図４】プラギング可能光学トランシーバを含む図１のシステムの物理的通信媒体のさらに別の例のブロック図である。
【発明を実施するための形態】
【０００７】
次の詳細な説明において、その一部を形成する添付図面を参照し、その図面で、具体的な例示的な実施形態を解説目的で図示する。しかしながら、他の実施形態が利用可能であり得るし、かつ論理的、機械的、および電気的な変更がなされ得ることを理解すべきである。さらにそのうえ、図面および明細書に提示されている方法は、個々のステップが実施され得る順序を制限するものと解釈されるべきではない。次の詳細な説明は、したがって、制限的な意味で解釈されるべきではない。
【０００８】
図１は、 物理的通信媒体１１０の端と関連付けられた能動型光モジュール１０２を有する物理的通信媒体１１０を含む一例としてのシステム１００のブロック図である。このようなシステム１００の他の例は、参照により本明細書に組み込まれる、２０１２年１２月７日に出願された、「ＳＹＳＴＥＭＳ  ＡＮＤ  ＭＥＴＨＯＤＳ  ＦＯＲ  ＵＳＩＮＧ  ＡＣＴＩＶＥ  ＯＰＴＩＣＡＬ  ＣＡＢＬＥ  ＳＥＧＭＥＮＴＳ」という題名の、米国特許出願第１３，７０７，９０８号に記載されている。
【０００９】
この例では、物理的通信媒体１１０は、１つ以上の光ファイバーを含む二重光ファイバーケーブルである。この１つ以上の光ファイバーは、単一モードまたは多モードのファイバーを含み得る。光ファイバーケーブルは、単一ケーブル、二重ケーブル、１２ファイバーケーブル、２４ファイバーケーブル、および（ハイブリッドファイバー／銅ケーブルなどの）他の光ファイバーケーブルを含み得る。
【００１０】
図１に示す例で用いられるのに適している物理的通信媒体１１０の１つの例を、図２により詳細に示す。図２に示す物理的通信媒体１１０は、１対のファイバー１１２を有する二重光ファイバーケーブルである（もっとも、本明細書に記載する技術は、単一ケーブルおよび／または、２つ以上の単一もしくは二重の光チャネルを実装する単一もしくは二重のケーブルなどの他のタイプの光ファイバーケーブルで用いることが可能であることを理解すべきであるが）。
【００１１】
この例では、各々の物理的通信媒体１１０は、能動端１１４および受動端１１６を有する。各々の物理的通信媒体１１０は、その物理的通信媒体１１０の能動端１１４に（より具体的には、物理的通信媒体１１０中で用いられるファイバー対１１２の能動端１１４に）取り付けられた能動型光モジュール１０２を含む。能動型光モジュール１０２は、ファイバー対１１２と能動型光モジュール１０２との間に、非コネクタベースの接続を用いて取り付けられる。例えば、非コネクタベースの接続は、永久的（製造された）または半永久的（スプライスされた）接続を含むが、プラギング可能および取り外し可能なコネクタ（例えば、ＬＣまたはＳＣコネクタなどのプラグジャック対）を互いにかみ合わすことによってなされる結合は含まない。非コネクタベースの能動型光モジュール１０２とファイバー対１１２との間の取り付けの１つの結果は、通常使用においては、能動型光モジュール１０２はファイバー対１１２と共に常に用いられ、構成要素は、ファイバー対１１２の受動端１１６に取り付けられると当然仮定し得ることである（以下に説明する）。
【００１２】
各々の物理的通信媒体１１０はまた、物理的通信媒体１１０の受動端１１６に（より具体的には、物理的通信媒体１１０中で用いられるファイバー対１１２の受動端１１６に）取り付けられた受動型光コネクタ１１８を含む。
【００１３】
各々の能動型光モジュール１０２は、送信信号および受信信号が、電気的形態で（一般的には、それぞれの差分信号対として）能動型光モジュール１０２との間で、それによって入力および出力される電気コネクタ１２０を含む。電気コネクタ１２０はまた、能動型光モジュール１０２中の能動型構成要素に対して電力および接地を提供する電力（ＰＷＲ）および（ＧＮＤ）ラインの接点トレースを含む。図２に示す例では、能動型光モジュール１０２は、１０〜４０ギガビットのイーサネットに関連する規格の電気電子技術者協会（ＩＥＥＥ）８０２．３ファミリのうちの１つ以上を実装するギガビットイーサネットの能動型光モジュールを備える。この例では、電気コネクタ１２０は、電気的ギガビットイーサネットコネクタに関連するギガビットイーサネット規格によって必要とされるラインの各々に対する接点トレース（すなわち、「送信」差分信号対に対するＴＸ−およびＴＸ＋接点トレースならびに「受信」差分信号対に対するＲＸ−およびＲＸ＋接点トレース）を有するエッジタイプのコネクタとして実装される。１つの一般的な応用分野では、能動型光モジュール１０２の規格は、いかなる公式の標準化団体によっても標準化されていないが、競合する製造業者間での業界合意（ＭＳＡ）によって指定されている。これは、本明細書では、「ＭＳＡに準拠する能動型光モジュール」または「ＭＳＡに準拠するトランシーバ」とも呼ばれる。電気コネクタ１２０と、能動型光モジュール１０２の残余とは、いずれかの適切な、ＭＳＡに準拠するコネクタおよびモジュールを含むスモールフォームファクタコネクタおよびモジュールなどのコネクタおよびモジュールと、ＳＦＰ、ＳＦＰ＋、ＱＳＦＰ、ＱＳＦＰ＋、ＣＦＰ、およびＣＸＰに適合するコネクタおよびモジュールと、他のタイプの能動型光モジュール（例えば、ＭＳＡに準拠する能動型光モジュール以外の能動型光モジュール）と、であり得る。
【００１４】
各々の能動型光モジュール１０２は、信号がファイバー対１１２を介して送信および受信されるために必要な電気から光（Ｅ／Ｏ）および光から電気（Ｏ／Ｅ）への変換を実施する能動型光構成要素を含む。図２に示す例では、能動型光モジュール１０２は、光学トランシーバ１２２を含む。光学トランシーバ１２２は、第１の光信号を光ファイバー１１２の第１のものから受信して、電気コネクタ１２０から出力するのに適切な第１の光信号から第１の（受信される）電気信号を生成する受信機回路１２４を備える。光学トランシーバ１２２は、電気送信信号を電気コネクタ１２０から受信して、光ファイバー１１２のうちの第２のものを介して通信するための第２の（送信）光信号を出力する送信機回路１２６をさらに備える。上記のように、この例では、受信された電気信号は、１０〜４０ギガビットのイーサネットに関連する規格のＩＥＥＥ８０２．３ファミリのうちの１つ以上に適合する電気信号（ＲＸ＋およびＲＸ−）の差分対として、電気コネクタ１２０上に出力される。同様に、物理的通信媒体１１０上で送信される送信電気信号は、１０〜４０ギガビットのイーサネットに関連する規格のＩＥＥＥ８０２．３ファミリのうちの１つ以上に適合する電気信号（ＴＸ＋およびＴＸ−）の差分対として、電気コネクタ１２０上に供給される。
【００１５】
この例では、各々の能動型光モジュール１０２もまた、ストレージデバイス１２８（本明細書では、「能動端」ストレージデバイス１２８とも呼ばれる）を含む。各々の能動型光モジュール１０２中の電気コネクタ１２０は、能動端ストレージデバイス１２８がそれを介してアクセス可能な制御インターフェースを含むように構成される。図２に示す特定的な例では、電気コネクタ１２０によって実装される制御インターフェースは、データおよびクロック信号が、ホストデバイス１０４と能動型光モジュール１０２中の能動端ストレージデバイス１２８との間でそれらを介して交換される１つの「データ」接点トレース（ＤＡＴＡ）および１つの「クロック」接点トレース（ＣＬＫ）を含む。一例では、制御インターフェースは、シリアル通信インターフェースである。一部の例では、能動端ストレージデバイス１２８は、Ｉ２Ｃ（Ｉ自乗Ｃ）バスプロトコルに対応するが、この場合、Ｉ２Ｃバスプロトコルは、制御インターフェース上での通信に用いられる。一例では、ストレージデバイス１２８は、ＥＥＰＲＯＭであるが、しかしながら、他の例では、他の不揮発性メモリを用いることが可能である。
【００１６】
図２に示すように、各々の物理的通信媒体１１０もまた、能動型光ケーブルセグメント１１０の受動端１１６のところに受動型光コネクタ１１８を含む。受動型光コネクタ１１８の１つの例は、二重ＬＣ、ＳＣ、またはＭＰＯのファイバーコネクタである。この例では、各々の受動型光コネクタ１１８は、ストレージデバイス１３２（本明細書では、「受動端」ストレージデバイス１３２とも呼ばれる）を含む（またはこれと別様に関連付けられる）。受動型光コネクタ１１８は、受動端ストレージデバイス１３２がそれを介してアクセス可能なストレージデバイスインターフェースを含むように構成される。このストレージデバイスインターフェースはまた、本明細書では、「受動端」ストレージデバイスインターフェースとも呼ばれ、これもまた、適切な電気接点を受動型光コネクタ１１８中に組み込むことによって実装することが可能である。他の例では、物理的通信媒体１１０は、（単一ケーブル、ハイブリッドケーブル、多重チャネルケーブルなど）の他の方法によって実装することが可能であり、受動端１１６は、そのタイプのケーブルにとって適切な様式で（例えば、単一コネクタ、ハイブリッドケーブルコネクタ、多重チャネルケーブルコネクタを用いて）実装される。
【００１７】
受動端ストレージデバイスインターフェースの様々な例が、２０１０年１０月１５日に出願された、「ＭＡＮＡＧＥＤ  ＣＯＮＮＥＣＴＩＶＩＴＹ  ＩＮ  ＦＩＢＥＲ  ＯＰＴＩＣＳ  ＳＹＳＴＥＭＳ  ＡＮＤ  ＭＥＴＨＯＤＳ  ＴＨＥＲＥＯＦ」という題名の米国特許公開第２０１１−０１１６７４８号、２０１１年２月１１日に出願された、「ＭＡＮＡＧＥＤ  ＦＩＢＥＲ  ＣＯＮＮＥＣＴＩＶＩＴＹ  ＳＹＳＴＥＭＳ」という題名の米国特許出願第１３／０２５、８４１号、ならびに２０１１年２月１１日に出願された、「ＣＯＭＭＵＮＩＣＡＴＩＯＮＳ  ＢＬＡＤＥＤ  ＰＡＮＥＬ  ＳＹＳＴＥＭＳ」という題名の米国特許出願第１３／０２５，７５０号、２００９年２月１３日に出願された、「ＭＡＮＡＧＥＤ  ＣＯＮＮＥＣＴＩＶＩＴＹ  ＳＹＳＴＥＭＳ  ＡＮＤ  ＭＥＴＨＯＤＳ」という題名の米国仮特許出願第６１／１５２，６２４号、および２０１０年２月１２日に出願された、「ＡＧＧＲＥＧＡＴＩＯＮ  ＯＦ  ＰＨＹＳＩＣＡＬ  ＬＡＹＥＲ  ＩＮＦＯＲＭＡＴＩＯＮ  ＲＥＬＡＴＥＤ  ＴＯ  Ａ  ＮＥＴＷＯＲＫ」という題名の米国特許出願第１２／７０５，４９７号に記載されており、これらは参照により本明細書に組み込まれる。これらの例のうちの一部では、４線のストレージデバイスインターフェースを用いるが、この場合、このインターフェースは、データの読み出しおよび書き込みのための１つのデータライン、ストレージデバイスに電力を供給するための電力ライン、接地レベルを提供するための接地ライン、および将来の用途に留保されている余分のラインを含む。また、これらの例では、ＵＮＩ／Ｏバスプロトコルに対応するストレージデバイスを用いるが、この場合、ＵＮＩ／Ｏバスプロトコルは、１つのデータリード線上での通信のために用いられる。このようなストレージデバイスおよびインターフェースの１つの例は、ＴＥ  Ｃｏｎｎｅｃｔｉｖｉｔｙから市販されている物理層管理製品のＱＵＡＲＥＯ（商標）ファミリで用いられるストレージデバイスおよびインターフェースである。
【００１８】
図１に示す例では、システム１００は、本明細書では、ギガビットイーサネットスイッチ１０４として実装されている２つのホストデバイス１０４を含むものとして記載されている（もっとも、システム１００は、１または３つ以上のスイッチ１０４および／または異なるタイプのこれらのホストデバイス１０４を含み得るが）。結果として、図１に示す２つのホストデバイス１０４は、本明細書では「スイッチ」１０４とも呼ばれる。用いることが可能な他のタイプのホストデバイス１０４の例は、制限なく、ルータ、ゲートウェイ、アクセスポイント、サーバコンピュータ、エンドユーザコンピュータ、（ネットワーク接続ストレージ（ＮＡＳ）デバイスなどの）家電コンピュータ、および、ストレージエリアネットワーク（ＳＡＮ）のノードを含む。また、図１に示す例では、システム１００は、２つのファイバーパッチパネル１０８として実装される２つの受動型光相互接続部１０８を含む（もっとも、システム１００は、（パッチパネル１０８なしのシステムを含む）異なる数のファイバーパッチパネル１０８および／または異なるタイプの受動型光相互接続部１０８を含み得るが）。結果として、図１に示す ２つの受動型光相互接続部１０８は、本明細書では、「ファイバーパッチパネル」１０８とも呼ばれる。用いることが可能な他のタイプの受動型光相互接続部１０８の例は、制限なく、他のタイプの光パッチパネル、ファイバー分散ハブ（ＦＤＨ）、ファイバースプライスパネル、ファイバートレイ、およびファイバー終端点を含む。能動型光モジュール１０２および物理的通信媒体１１０の例は、制限なく、ＧＩＧＡＢＩＴ  ＥＴＨＥＲＮＥＴ、ＦＩＢＲＥ  ＣＨＡＮＮＥＬ、ＩＮＦＩＮＩＢＡＮＤ、シリアルアタッチトＳＣＳＩ（ＳＡＳ）、およびＳＯＮＥＴ／ＳＤＨを含む。
【００１９】
多くのタイプのホストデバイス１０４および受動型光相互接続部１０８は複数のポートを含むが、本明細書に記載する技法は、複数のポートを含むホストデバイス１０４または受動型光相互接続部１０８には限られない。
【００２０】
図１に示す例では、第１の物理的通信媒体１１０の第１の能動型光モジュール１０２は、２つのスイッチ１０４のうちの第１のものの（第１の）ポート１０６に取り付けられる。第２の物理的通信媒体１１０の第２の能動型光モジュール１０２は、２つのスイッチ１０４のうちの第２のものの（第２の）ポート１０６に取り付けられる。図１に示す例では、スイッチ１０４のポート１０６の各々は、制御インターフェース（個別には図示せず）を含むように構成される。ポート１０６中の制御インターフェースは、能動型光モジュール１０２の各々に取り付けられた電気コネクタ１２０中で用いられる制御インターフェースとかみ合い、かつこれと相互動作するように構成される。各々のスイッチ１０４と関連付けられた（コントローラなどの）プログラム可能プロセッサ１３６上で実行中のソフトウェア１３４は、所与のポート１０６に取り付けられた各々の能動型光モジュール１０２中で含まれる能動端ストレージデバイス１２８に対して、そのポートの制御インターフェースを用いて、データの読み出しおよび書き込みをすることが可能である。ソフトウェア１３４およびプログラム可能プロセッサ１３６は、本明細書に記載される様式を例外として従来の様式で実装される。
【００２１】
図１に示す例では、第１の能動型光ケーブルセグメント１１０の受動端１１６のところの受動型光コネクタ１１８は、２つのファイバーパッチパネル１０８のうちの一方の二重ポート１３８に接続される。このファイバーパッチパネル１０８は、本明細書では、「第１の」パッチパネル１０８と呼ばれ、第１の物理的通信媒体１１０がそれに対して接続されるポート１３８もまた、本明細書では、「第１のパッチパネルポート」１３８と呼ばれる。第２の物理的通信媒体１１０の受動端１１６のところの受動型光コネクタ１１８が、２つのファイバーパッチパネル１０８の第２のものの二重ポート１３８に接続される。このファイバーパッチパネル１０８は、本明細書では、「第２の」パッチパネル１０８と呼ばれ、第２の能動型光ケーブルセグメント１１０がそれに対して接続されるポート１３８もまた、本明細書では、「第２のパッチパネルポート」１３８と呼ばれる。
【００２２】
図１に示す例では、ファイバーパッチパネル１０８のパッチパネルポート１３８の各々は、ストレージデバイスインターフェース（個別には図示せず）を含むように構成される。各々のポート１３８中のストレージデバイスインターフェースは、所与の能動型光ケーブルセグメント１１０の受動端１１６に取り付けられた受動型光コネクタ１１８中で用いられるストレージデバイスインターフェースとかみ合い、かつ相互動作するように構成される。ファイバーパッチパネル１０８と関連付けられた（コントローラなどの）プログラム可能プロセッサ１４２上で実行されるソフトウェア１４０は、所与のポート１３８に接続されたいずれかの受動型光コネクタ１１８と関連付けられた受動端ストレージデバイス１３２に対して、そのポートのストレージデバイスインターフェースを用いてデータの読み出しおよび書き込みを、することが可能である。ソフトウェア１４０およびプログラム可能プロセッサ１４２は、本明細書に引用する米国仮特許出願および米国非仮特許出願に記載する様式で実装することが可能である。このようなストレージデバイスおよびインターフェースの１つの例は、ＴＥ  Ｃｏｎｎｅｃｔｉｖｉｔｙから市販されている物理層管理製品のＱＵＡＲＥＯ（商標）ファミリで用いられるストレージデバイスおよびインターフェースである。
【００２３】
図１に示す例では、第１のファイバーパッチパネル１０８中の各々のパッチパネルポート１３８は、光トランクケーブル１４４を介して第２のファイバーパッチパネル１０８中のそれぞれのパッチパネルポート１３８に通信可能に結合される。光トランクケーブル１４４は複数ファイバーケーブルであり、この場合、ファイバーパッチパネル１０８の各々の各二重ポート１３８は、トランクケーブル１４４中のそれぞれのファイバー対に接続される。トランクケーブル１４４は、ケーブル１４４の各々の端のところに多ファイバーコネクタ１４６（例えば、適切なＭＰＯまたはＭＴＰコネクタ）を含む。各々のファイバーパッチパネル１０８は、トランクケーブル１４４に取り付けられた多ファイバーコネクタ１４６に接続されるように設計されたトランクコネクタ１４８（例えば、適切なＭＰＯまたはＭＴＰコネクタ）を含む。
【００２４】
この例では、光トランクケーブル１４４に取り付けられた各々の多ファイバーコネクタ１４６もまた、それぞれのストレージデバイス１５０を含むまたは別様にこれと関連付けられ、コネクタ１４６および１４８は、各々のファイバーパッチパネル１０８上で走行するソフトウェア１４０がストレージデバイス１５０に対してデータの読み出しおよび書き込みがそれによって可能となるそれぞれのストレージデバイスインターフェース（図示せず）を含むまたは別様にこれと関連付けられる。トランクケーブル１４４に取り付けられた多ファイバーコネクタ１４６に含まれるまたは別様にこれと関連付けられたストレージデバイス１５０はまた、本明細書では、「トランクケーブル」ストレージデバイス１５０とも呼ばれる。ストレージデバイスインターフェースは、本明細書に引用される米国仮特許出願および米国非仮特許出願に記載される様式で実装可能である。
【００２５】
他の実装では、第１のパッチパネル１０８中にプラギングされたトランクケーブル１４４は、第２のパッチパネル１０８中にプラギングされたトランクケーブル１４４とは異なる。一部の実装では、２つのトランクケーブル１４４は、第３のパッチパネルのところで接続され得る。他の実装では、２つのトランクケーブル１４４は、複数のパッチパネルおよびトランクケーブルのパネルネットワークを用いて接続され得る。さらに別の実装では、複数のトランクケーブルは、第１と第２のパッチパネル１０８間を延在し得る。例えば、一部の実装では、複数の単一光ファイバー式ケーブルは、パッチパネル１０８またはパネルネットワーク間を延在し得る。他の実装では、複数の複数ファイバー式ケーブルは、パッチパネル１０８またはパネルネットワーク間を延在し得る。
【００２６】
パネル１０８としての用途に適切なパッチパネルの非制限的な例は、参照により上記に組み込まれた米国特許出願第１３／０２５，７５０号および米国公開第２０１１−０１１６７４８号に図示され、かつ開示されている。パネル１０８としての用途に適切なパッチパネルの他の非制限的な例は、全体を参照により本明細書に組み込まれる２０１０年１０月１９日に出願された、「ＭＡＮＡＧＥＤ  ＥＬＥＣＴＲＩＣＡＬ  ＣＯＮＮＥＣＴＩＶＩＴＹ  ＳＹＳＴＥＭＳ」という題名の米国公開第２０１１−０１１５４９４Ａ１号、２０１０年１０月１５日に出願された、「ＭＡＮＡＧＥＤ  ＣＯＮＮＥＣＩＶＩＴＹ  ＩＮ  ＥＬＥＣＴＲＩＣＡＬ  ＳＹＳＴＥＭＳ  ＡＮＤ  ＭＥＴＨＯＤＳ  ＴＨＥＲＥＯＦ」という題名の米国出願第１２／９０５，６８９号、２０１１年３月２３日に出願された、「ＣＡＢＬＥ  ＭＡＮＡＧＥＭＥＮＴ  ＩＮ  ＲＡＣＫ  ＳＹＳＴＥＭＳ」という題名の米国仮特許出願第６１／４６６，６９６号、および２０１１年４月１５日に出願された、「ＭＡＮＡＧＥＤ  ＥＬＥＣＴＲＩＣＡＬ  ＣＯＮＮＥＣＴＩＶＩＴＹ  ＳＹＳＴＥＭＳ」という題名の米国仮特許出願第６１／４７６，０４１号に図示され、開示されている。
【００２７】
図１に示す例では、システム１００は、統合点１５２をさらに備える。統合点１５２、スイッチ１０４、およびファイバーパッチパネル１０８は、ネットワーク１５６上で互いと通信する。統合点１５２は、一般的には、ネットワーク１５６に結合されたコンピュータ上を走行するソフトウェアとして実装される。統合点１５２が実装されるコンピュータは、コンピュータをネットワーク１５６に対して通信可能に結合させるために、適切なネットワークインターフェースを含む。図１に示す例では、それぞれスイッチ１０４およびファイバーパッチパネル１０８の中のプログラム可能プロセッサ１３６および１４２は、「サービス」ポート１０６および１３８から分離しているそれぞれの「管理」または「非サービス」ポート１５８を含むことによって、ネットワーク１５６に通信可能に結合される。しかしながら、スイッチ１０４およびファイバーパッチパネル１０８の中のプログラム可能プロセッサ１３６および１４２のうちの１つ以上は、それぞれ、１つ以上の「サービス」ポート１０６および１３８を用いてネットワーク１５６に通信可能に結合することが可能である。ある例では、スイッチ１０４は、（Ｓｉｍｐｌｅ  Ｎｅｔｗｏｒｋ  Ｍａｎａｇｅｍｅｎｔ  Ｐｒｏｔｏｃｏｌ（ＳＮＭＰ）などの）適切な通信プロトコルを用いて、統合点１５２と通信することが可能である。
【００２８】
１つの実施形態では、ネットワーク１５６は、ＩＮＴＥＲＮＥＴ  ＰＲＯＴＯＣＯＬネットワークを備える。ネットワーク１５６は、ローカルエリアネットワーク（ＬＡＮ）、ワイドエリアネットワーク（ＷＡＮ）、インターネット、仮想ローカルエリアネットワーク（ＶＬＡＮ）、および仮想プライベートネットワーク（ＶＰＮ）、企業ネットワーク、および電気通信サービスプロバイダネットワークのうちの１つ以上を用いて実装することが可能である。そのうえ、スイッチ１０４およびファイバーパッチパネル１０８は、ネットワーク１５６を実装するために用いられる機器の一部であり得る。
【００２９】
統合点１５２は、ネットワーク１５６中に物理層を実装するために用いられる様々なデバイスおよび媒体（単なる物理的通信媒体１１０ではなくて）に関連する物理層情報を受信するように構成される。物理層情報（ＰＬＩ）は、ネットワーク１５６中の様々なデバイスに関する情報（例えば、スイッチ１０４およびファイバーパッチパネル１０８に関する情報）（本明細書では、「デバイス情報」とも呼ばれる）と、これらのデバイスのポートに取り付けられたいずれかの物理的通信媒体に関する情報（本明細書では「媒体情報」とも呼ばれる）と、を含む。デバイス情報は、例えば、各々のデバイスの識別子、デバイスのタイプを識別するタイプ識別子、およびデバイスのポートに関する情報を含むポート情報を含む。媒体情報は、様々な物理的通信媒体に取り付けられたストレージデバイスから（例えば、物理的通信媒体１１０および光トランクケーブル１４４に取り付けられた受動端ストレージデバイスから）読み出された情報を含む。
【００３０】
このようなストレージデバイス中に記憶することが可能な媒体情報の例は、制限なく、特定の物理的通信媒体を一意に識別するケーブル識別子（ＥＴＨＥＲＮＥＴ  Ｍｅｄｉａ  Ａｃｃｅｓｓ  Ｃｏｎｔｒｏｌ（ＭＡＣ）アドレスに類似しているが、物理的通信媒体と関連付けられている（例えば、物理的通信媒体の通し番号））、さらに、部品番号などの属性情報、プラグもしくは他のコネクタのタイプ、ケーブルもしくはファイバーのタイプおよび長さ、ケーブル極性、製造日付、製造ロット番号、物理的通信媒体もしくは物理的通信媒体に取り付けられたコネクタの１つ以上の仮想属性の情報（物理的通信媒体もしくはコネクタの色または形状または物理的通信媒体もしくはコネクタの画像に関する情報など）、ならびにエンタープライズリソースプラニング（ＥＲＰ）システムもしくは在庫制御システムによって用いられる他の情報を含む。他の実施形態では、代替のまたは追加の媒体情報などのデータが、このようなストレージデバイス中に記憶される。例えば、媒体情報は、このようなストレージデバイス中に記憶された試験、媒体品質、または性能の情報を含み得る。例えば、試験、媒体品質、または性能の情報は、特定の物理的通信媒体が製造または設置されたときに実施される試験の結果であり得る。
【００３１】
物理層情報もまた、自身に対して取り付けられたストレージデバイスをなんら有しない物理的通信媒体に関する情報を含み得る。この後者のタイプの物理層情報は、統合点１５２に手動で供給することが可能である。
【００３２】
統合点１５２は、それに提供された物理層情報を記憶するために、データベースまたは他のデータ貯蔵所（図示せず）を含む。統合点１５２はまた、統合点１５２によって保たれる物理層情報にアクセスするために、外部のデバイスまたはエンティティに対するインターフェースを提供する機能性を含む。このアクセスは、統合点１５２から情報を回収することと、情報を統合点１５２に供給することを含み得る。この例では、統合点１５２は、このような外部デバイスおよびエンティティに対して、統合点１５２によって保たれるＰＬＩに対する透明でかつ便利なアクセスを提供することが可能な「ミドルウエア」として実装される。統合点１５２は、ネットワーク１５６中の関連するデバイスからのＰＬＩを統合して、外部デバイスおよびエンティティに対してこのようなＰＬＩへのアクセスを提供するため、外部デバイスおよびエンティティは、ＰＬＩを提供するネットワーク１５６中のデバイスの全てと個々に相互作用する必要はなく、また、このようなデバイスも、このような外部デバイスおよびエンティティからの要求に応答する機能を有する必要がない。
【００３３】
統合点１５２は、この例では、アプリケーション層機能性が、統合点１５２によって保たれる物理層情報に対して、ＡＰＩを記載して文書化するソフトウェア開発キット（ＳＤＫ）を用いてアクセスすることを可能とするアプリケーションプログラミングインターフェース（ＡＰＩ）を実装する。
【００３４】
統合点１５２は、デバイスおよび物理的通信媒体からのＰＬＩを統合して、デバイス（例えば、パッチパネル）のポートを物理的通信媒体と関連付けることが可能である。例えば、ＰＬＩを用いて、デバイスの所与のポートを所与の物理的通信媒体および／またはこの物理的通信媒体の特定のコネクタと関連付けることが可能である。ＰＬＩを統合することは、デバイス間の物理層接続部を判定するために、複数のこのような関連性を統合することを含み得る。
【００３５】
物理層情報および統合ポイント１５２に関するより多くの情報は、２００９年２月１３日に提出された、「ＭＡＮＡＧＥＤ  ＣＯＮＮＥＣＴＩＶＩＴＹ  ＳＹＳＴＥＭＳ  ＡＮＤ  ＭＥＴＨＯＤＳ」という題名の米国仮特許出願第６１／１５２，６２４号および２０１０年２月１２日に出願された、「ＡＧＧＲＥＧＡＴＩＯＮ  ＯＦ  ＰＨＹＳＩＣＡＬ  ＬＡＹＥＲ  ＩＮＦＯＲＭＡＴＩＯＮ  ＲＥＬＡＴＥＤ  ＴＯ  Ａ  ＮＥＴＷＯＲＫ」という題名の米国特許出願第１２／７０５，４９７号に発見することが可能であり、これらの双方は、参照により本明細書に組み込まれる。
実施例１
【００３６】
実施例１では、統合点１５２（または、より一般的にはＰＬＭシステム）によって用いられることを具体的に意図される情報は、物理的通信媒体１１０の能動端１１４に含まれるストレージデバイス中に記憶されない。実施例１では、能動端１１４は、能動端ストレージデバイス１２８を含むが、能動端ストレージデバイス１２８は、統合点１５２（または、より一般的にはＰＬＭシステム）によって用いられることを具体的に意図される情報を、その内部に記憶して有することはない。すなわち、能動端ストレージデバイス１２８は、統合点１５２（または、より一般的にはＰＬＭシステム）による使用以外の目的ように意図される情報を含む。この例の実装では、能動端ストレージデバイス１２８は、能動端ストレージデバイス１２８がその一部である能動型光モジュール１０２に関連する情報を含む。この情報は、本明細書では、能動型光モジュール（ＡＯＭ）の情報と呼ばれる。ＡＯＭ情報は、ホストデバイス１０４またはホストデバイス１０４を管理するために用いられる管理システムによって用いられることを意図する情報である。一般的には、ＡＯＭ情報は、ホストデバイスの製造業者によって規定された情報である。ＡＯＭ情報は、適用可能な標準または他の合意を遵守して提供することが可能である。
【００３７】
ＡＯＭ情報の例としての用途は、能動型光モジュール１０２をホストデバイス１０４に対して認証するためである。多くのタイプのホストデバイス１０４が、ポート１０６が、いずれかの能動型光モジュール１０２で使用可能とされることが可能となる前に認証されるこれらの能動型光モジュール１０２を必要とする。この認証はまた、ホストデバイス１０４以外のデバイスによって実施され得る。ＡＯＭ情報は、対応する能動端ストレージデバイス１２８がその一部である能動型光モジュール１０２を一意に識別するＡＯＭ識別子（例えば、通し番号）を含み得る。ＡＯＭ情報はまた、ケーブルの速度（例えば、１０ギガビット、２５ギガビットなど）および能動型光モジュール１０２がそのために設計されている通信プロトコル（複数可）などの属性情報を含み得る。本明細書で用いられる「ＰＬＭ情報」とは、統合点１５２（または、より一般的にはＰＬＭシステム）によって用いられることを具体的には意図される情報のことであり、一方、「ＡＯＭ情報」とは、統合点１５２（または、より一般的にはＰＬＭシステム）による使用以外の目的用に意図された情報のことである。ホストデバイスもまた、接続テーブル、経路指定テーブル、他のデバイスの媒体アクセス制御（ＭＡＣ）アドレス、ホストＭＡＣアドレス、ホストが提供されるまたは、全域ツリープロトコルを介するなど他のデバイスから知られるホスト識別子などの他の情報を含み得る。この他の情報は、本明細書では、「他のホスト情報」とも呼ばれる。
【００３８】
上述したように、ホストデバイス１０４は、その内部に記憶されているＡＯＭ情報を獲得するために、制御インターフェースを介して能動端ストレージデバイス１２８にアクセスするように構成される。能動端ストレージデバイス１２８にアクセスした後では、ホストデバイス１０４は、ローカルストレージデバイスまたはホストデバイス１０４上のメモリ上のＡＯＭ情報の一部または全てを記憶することが可能である。この例の実装では、ＡＯＭ情報は、ホストデバイス１０４上を走行するＳＮＭＰエージェントによってＭＩＢ中に記憶することが可能である。ＭＩＢ中に記憶されたＡＯＭ情報は、上記のＡＯＭ識別子を含み得る。
【００３９】
この実施例１では、統合点１５２は、ホストデバイス１０４によって獲得されたＡＯＭ識別子および／または他のＡＯＭ情報を獲得するように構成される。この例の実装では、統合点１５２は、ホストデバイス１０４がＡＯＭ情報（またはＭＩＢの全体の内容）および／または他のホスト情報を統合点１５２に送出することを要求するＬａｙｅｒ２要求または他の要求（例えば、ＳＮＭＰ）をホストデバイス１０４（例えば、その上を走行するＳＮＭＰエージェント）に送出することによって、ＡＯＭ情報および／または他のホスト情報を獲得するように構成される。別の実装では、ホストデバイス１０４と直接的に相互作用する代わりに、統合点１５２は、（直接的にまたは別のソースを介して）ホストデバイス１０４からこのような情報を既に獲得しているシステム１００（例えば、ホストデバイス１０４を管理するために用いられる管理システム）中の別のエンティティと相互作用する。このような代替の実装では、統合点１５２は、ホストデバイス１０４用のＡＯＭ情報を獲得するために他のエンティティによって実装されたＡＰＩを用いるように構成することが可能である。一般的には、この情報は、ＡＯＭ情報および／または他のホスト情報に対応する様々な能動型光モジュール１０２が接続されているそれぞれのポートのポート番号（または他の識別子）を含む。この例の実装では、ポート番号は、統合点１５２からの同じもしくは異なる要求によって、または、上述したようにホストデバイス１０４を管理するソフトウェアの背後のＡＰＩを用いることによって獲得することが可能である。
【００４０】
統合点１５２は、各々のホストデバイス１０４のところのポートの状態のいかなる変化も自身で発見するように構成することが可能である。このことは、定期的に（または手動で命令されたように）ＡＯＭ情報および各々のホストデバイス１０４のそれの関連付けられたポートを獲得し、かつホストデバイス１０４のポートの現在の状態をこれらのポートの以前の状態と比較するように、統合点１５２を構成することによって実行することが可能である。また、各々のホストデバイス１０４がポートの状態の変化を（例えば、ＳＮＭＰトラップを用いて）報告する既存の機能性を含む場合、統合点１５２は、このような機能性を用いて、ポート１５２の状態の変化を検出するように構成することが可能である。一般的に、統合点１５２は、ホストデバイス１０４のポートの状態を判定するこのような方式の組み合わせを用いるように構成される。
【００４１】
統合点１５２は、ＡＯＭ情報（例えば、ＡＯＭ識別子）および／または他の情報（例えば、ポート番号）を用いて、対応する能動型光モジュール１０２（または、より一般的には、ＡＯＭ情報）を、能動型光モジュール１０２の接続先のポート（または、より一般的には他のホスト情報）と関連付けることが可能である。
【００４２】
能動型光モジュール１０２は、受動型光コネクタ１１８と同じケーブルアセンブリの一部であり、かつ双方は上述したように非コネクタ式接続を用いて取り付けられるため、能動型光モジュール１０２は、対応する受動型光コネクタ１１８から容易に取り外すことは不可能であるという事実に依存することが可能である。したがって、受動端ストレージデバイス１３２は、受動端ストレージデバイス１３２がその一部であるケーブルアセンブリの反対の端（能動端）上の能動型光モジュール１０２を一意に識別する、その内部に記憶した情報（本明細書では、「ＡＯＭの他端情報」とも呼ばれる）を有することが可能である。このＡＯＭの他端の情報は、統合点１５２によって用いられることを意図するため、ＡＯＭの他端情報は、受動端ストレージデバイス１３２中でのＰＬＭ情報である。この例の実装では、このＡＯＭの他端情報は、統合点１５２（または、より一般的にはＰＬＭシステム）による使用以外の目的のために、上記した能動端ストレージデバイス１２８中に記憶されているＡＯＭ識別子を含む。ＡＯＭの他端情報は、物理的通信媒体１１０の製造時におよび／またはＡＯＭ情報が能動端ストレージデバイス１２８中に記憶される（またはバーンされる）時点で、受動端ストレージデバイス１３２中に記憶することが可能である。
【００４３】
ＡＯＭの他端情報は、受動型光コネクタ１１８の接続先であるパッチパネル１０８中のプロセッサ１４２によってアクセスして、統合点１５２に提供することが可能である。統合点１５２は、ＡＯＭの他端情報を用いて、物理的通信媒体１０２の一方の端（受動端１１６）上の受動型光コネクタ１１８を、物理的通信媒体１０２の反対の端（能動端１１４）上の能動型光モジュール１０２と関連付けることが可能である。より一般的には、統合点１５２は、ＡＯＭの他端情報を用いて、受動型光コネクタ１１８中のＰＬＭ情報を、ホストデバイス１０４からのＡＯＭ情報および／または他のホスト情報と関連付けることが可能である。受動型光コネクタ１１８と能動型光モジュール１０２との間の関連付けを、能動型光モジュール１０２とホストデバイス１０４のその対応するポートとの間の関連付けおよび受動型光ファイバーコネクタ１１８とパッチパネル１０８のその対応するポートとの間の関連付けと統合することによって、統合点１５２は、パッチパネル１０８の特定のポート１３８からホストデバイス１０４の特定のポート１０６への物理層接続を判定することが可能である。
【００４４】
能動型光モジュール１０２がホストデバイス１０４のポート１０６から取り外されて、ホストデバイス１０４の異なるポートに再接続されると、ホストデバイス１０４は、（例えば、認証プロセスの一部として）能動端ストレージデバイス１２８からＡＯＭ情報を再獲得する。統合点１５２は、上述した状態発見技法を用いて、ホストデバイス１０４のポート１０６の状態のこれらの変化を知る。状態変化に応答して、統合点１５２は、「新しい」ＡＯＭ情報および／または他のホスト情報ならびにその対応するポート番号を獲得して、これらの２者を上述したように関連付けることが可能である。この関連付けは、ＡＯＭ情報と元のポート番号との関連付けを外すことを含み得る。
【００４５】
利点として、ホストデバイス１０４またはホストデバイス１０４に接続する能動型光モジュール１０２に対するいかなる修正もなしで（すなわち、レガシーのホストデバイス１０４および能動型光モジュール１０２を用いることが可能である）、実施例１に説明するシステムおよび方法を用いて、受動型光デバイス（例えば、パッチパネル１０８）の所与のポート１３８からホストデバイス１０４のポート１０６への物理層接続を判定することが可能である。これは、能動端ストレージデバイス１２８中に、なんら新しい情報を記憶する必要がないからである。その代わりに、受動端ストレージデバイス１３２中のＡＯＭの他端情報を用いて、受動端ストレージデバイス１３２を、物理的通信媒体１１０の反対の端上の能動型光モジュール１０２と関連付ける。加えて、Ｌａｙｅｒ２要求などの、能動型光モジュール１０２に対応するＡＯＭ情報は、ホストデバイス１０４上のしかるべき位置に既に存在するプロセスを用いて獲得することが可能である。ホストデバイス１０４はまた、例えば、認証目的で、能動端ストレージデバイス１２８からＡＯＭ情報を獲得するように既にプログラムされている。
実施例２
【００４６】
実施例２では、物理的通信媒体１１０は、実施例１と同じ構成要素（例えば、ハードウェア、インターフェース）を含む。この第２の例では、しかしながら、ＰＬＭ情報（すなわち、統合点１５２（または、より一般的には、ＰＬＭシステム）によって用いられることを具体的には意図する情報）は、実施例１で説明したＡＯＭ情報に加えて（すなわち、統合点１５２（または、より一般的にはＰＬＭシステム）による使用以外の目的用に意図される情報に加えて）、能動端ストレージデバイス１２８中に記憶される。ＰＬＭ情報は、さもなければ統合点１５２によって用いられる形式で符号化されたケーブル識別子を含み得る。
【００４７】
ＰＬＭ情報は、物理的通信媒体１１０の製造中などで、ＡＯＭ情報と同時に、能動端ストレージデバイスに記憶することが可能である。能動端ストレージデバイス１２８中に記憶されたＰＬＭ情報は、ＡＯＭ情報用に用いられていない能動端ストレージデバイス１２８のメモリ位置に記憶される。この例の１つの実装では、ＰＬＭ情報は、ＡＯＭ情報用には現在のところ用いられていないことに加えて、ホストデバイス１０４によってＡＯＭ情報で上書きされそうにない位置に記憶される。
【００４８】
例えば、能動端ストレージデバイス１２８中の情報は、一般的には、複数のフィールドに編成される。これらのフィールドは、一般的には、関連するＭＳＡによって必要とされるフィールド（本明細書では、「必要とされるフィールド」とも呼ばれる）と、関連するＭＳＡによっては必要とされないフィールド（本明細書では、「ユーザ定義されたフィールド」とも呼ばれる）とを含む。この例の１つの実装では、ＰＬＭ情報は、ユーザ定義されたフィールドのうちの１つ以上に記憶される。例えば、物理的通信媒体１１０の製造業者は、１つ以上のユーザ定義されたフィールドを、様々なＰＬＭ情報を含むものとして定義することが可能である。第１のユーザ定義されたフィールドは、ケーブル識別子を含むものとして定義することが（上述したように）可能であり、関連付けられたケーブルに対する特定のケーブル識別子は、したがって、この第１のユーザ定義されたフィールドに記憶される。
【００４９】
他の実装では、ＰＬＭ情報は、１つ以上の必要とされるフィールド中に、ＡＯＭ情報と共に含まれる。例えば、必要とされるフィールドに記憶されているＡＯＭ情報がそのフィールドに割り当てられたメモリスペースを全て使用するわけではない場合、ＰＬＭ情報は、そのフィールドの未使用のメモリスペースに記憶され得る。ＡＯＭ識別子（すなわち、通し番号）に対して定義された必要とされるフィールドは、その必要とされるフィールド中の情報を、ＡＯＭ識別子と所望されたＰＬＭ情報（例えば、ケーブル識別子）との双方を含む方法で符号化するまたは別様に記憶することによって用いることが可能である。そのうえ、ＰＬＭ情報は、ホストデバイス１０４の非ＰＬＭプロセスによるＡＯＭ情報の使用に影響しない様式で、ＡＯＭ情報（例えば、ＡＯＭ識別子）と組み合わせることが可能である。他の実装では、ＰＬＭ情報は、割り当てられていないメモリ位置に記憶される。すなわち、ＰＬＭ情報は、どの定義されたフィールドの一部でもないメモリ位置に記憶される。
【００５０】
一般的に、能動端ストレージデバイス１２８中に記憶されたＰＬＭ情報（例えば、ケーブル識別子）は、受動端ストレージデバイス１３２に記憶されたものと同じものである。統合点１５２は、上述した様式で、受動端ストレージデバイス１３２からケーブル識別子（およびいずれかの他のＰＬＭ情報）を獲得することが可能である。統合点１５２は、次に、ケーブル識別子（および、したがって、対応する物理的通信媒体１１０）を、上述したように、パッチパネル１０８のポート１３８と関連付けることが可能である。
【００５１】
実施例１に関連して説明したのと同様に、ホストデバイス１０４は、能動型光モジュール１０２の制御インターフェースを介して能動端ストレージデバイス１２８にアクセスして、その内部に記憶されているＡＯＭ情報を獲得することが可能である。この第２の例では、ホストデバイス１０４もまた、能動端ストレージデバイス１２８中に記憶されたＰＬＭ情報を獲得することが可能である。この例の１つの実装では、ＰＬＭ情報は、能動端ストレージデバイス１２８中に記憶され、それによって、レガシーのホストデバイス１０４が、それがＡＯＭ情報を読み出すときに、ＰＬＭ情報を（自動的に）読み出すようにする。すなわち、ＰＬＭ情報は、能動型光モジュール１０２に記憶され、それによって、ホストデバイス１０４が、記憶されているＰＬＭ情報を獲得するために、更新される必要がない（例えば、ハードウェアまたはソフトウェアの修正がない）ようにする。これまた、これを達成するためには、ＰＬＭ情報が能動端ストレージデバイス１２８中に記憶され、それによって、ホストデバイス１０４が、それがＡＯＭ情報を読み出すときに、ＰＬＭ情報を（自動的に）読み出すようにする。
【００５２】
この例の１つの実装では、ホストデバイス１０４は、能動端ストレージデバイス１２８中の１つ以上のユーザが定義したフィールドにはデータが存在することを示す能動端ストレージデバイス１２８中の情報（例えば、ヘッダー）に基づいて、ＰＬＭ情報を（自動的に）獲得することが可能である。このヘッダーを読み出して、１つ以上のユーザが定義したフィールド中にデータが存在することを認識したら、ホストデバイス１０４は、ユーザが定義したフィールドに対応する能動端ストレージデバイス１３２上の位置にアクセスして、その内部の情報を獲得することが可能である。別の実装では、ホストデバイス１０４は、ユーザが定義したフィールド専用の能動端ストレージデバイス１２８の位置の全ての情報を、ユーザが定義したフィールドが実際に使用されているかどうかとは無関係に（すなわち、ユーザが定義したフィールドに対応する位置に記憶されている情報があるかないかとは無関係に）、獲得するように構成することが可能である。このようにして、ホストデバイス１０４は、ユーザが定義したフィールドに記憶されたいかなるＰＬＭ情報をも（自動的に）獲得することが可能である。さらに別の実装では、ホストデバイス１０４は、能動端ストレージデバイス１２８中に記憶された全てのメモリ位置の全ての情報を（自動的に）獲得し、それによって、ＰＬＭ情報を、ＰＬＭ情報が、ユーザが定義したフィールド（複数可）または非割り当てのメモリ位置に記憶されているかどうかとは無関係に、獲得するように構成することが可能である。ＰＬＭ情報が１つ以上の必要とされるフィールド（すなわち、関連するＭＳＡによって必要とされるフィールド）に記憶されている実装では、ホストデバイス１０４は、ホストデバイス１０４が対応するフィールド中のＡＯＭ情報を獲得するときに、記憶されているＰＬＭ情報を（自動的に）獲得することが可能である。
【００５３】
ホストデバイス１０４はまた、統合点１５２からの要求に応答して、特定のフィールドおよび／または能動端ストレージデバイス１２８上の特定のメモリ位置にアクセスして、その内部に記憶されているＰＬＭ情報を獲得するように構成することが可能である。
【００５４】
いずれの場合も、一旦ＰＬＭ情報がホストデバイス１０４によって能動端ストレージデバイスから獲得されると、このＰＬＭ情報を、統合点１５２に提供することが可能である。ＰＬＭ情報（例えば、ケーブル識別子）は、その対応するポート番号と共に、実施例１に関連して説明した様式のうちのいずれかで統合点１５２に提供することが可能である。一部の例では、統合点１５２はまた、実施例１で説明したように、ＡＯＭ情報および／または他のホスト情報をホストデバイス１０４から獲得することが可能である。例えば、統合点１５２は、各々のホストデバイス１０４をポーリングもしくは走査するように構成する、および／または各々のホストデバイス１０４で発生する事象またはトラップに応答するように構成することが可能である。
【００５５】
統合点１５２は、ＰＬＭ情報（例えば、ケーブル識別子）を用いて、ホストデバイス１０４の対応するポートを物理的媒体１１０と関連付けることが可能である。統合点１５２はまた、パッチパネル１０８の対応するポートを物理的通信媒体１１０と（例えば、受動端ストレージデバイス１３２からのケーベル識別子を通じて）関連付けることが可能である。この様式で、統合点１５２は、パッチパネル１０８の特定のポート１３８からホストデバイス１０４の特定のポート１０６への物理層接続を判定することが可能である。
【００５６】
実施例１と同様に、能動型光モジュール１０２がホストデバイス１０２のポートから外されて、ホストデバイス１０４の異なるポートに再接続された場合、ホストデバイス１０２は、能動端ストレージデバイス１２８から、ＡＯＭ情報およびＰＬＭ情報を再獲得することが可能である。統合点１５２は、ホストデバイス１０４のポートの状態のこれらの変化を、上述した状態発見技法を用いて知る。状態変化に応答して、統合点１５２は、次に、上述したように、「新しい」ＡＯＭ情報、ＰＬＭ情報、および／または他のホスト情報を獲得することが可能である。
実施例３
【００５７】
実施例３では、用いられる物理的通信媒体３１０は、実施例１および２で用いられた物理的通信媒体１１０とは異なる。実施例３で用いられる物理的通信媒体３１０を、図３に示す。実際には、物理的通信媒体１１０と物理的通信媒体３１０とは双方とも、同じネットワーク内で、かつ多分同じホストデバイス１０４のところで用いられ得ると理解すべきである。
【００５８】
図３は、物理的通信媒体１１０の代わりにシステム１００中で用いられる物理的通信媒体３１０の代替例を示す。
【００５９】
物理的通信媒体（ＰＣＭ）１１０と同様に、物理的通信媒体３１０は、１つ以上の光ファイバー１１２を含む光ファイバーケーブルである。ＰＣＭ１１０に関連して説明した例としての光ファイバーのどれでも、ＰＣＭ３１０で用いることが可能である。また、ＰＣＭ１１０と同様に、ＰＣＭ３１０は、能動端３１４および受動端１１６を有する。受動端１１６は、ファイバー対１１２の受動端に取り付けられた受動型光コネクタ１１８を含む。受動型光コネクタ１１８は、ストレージデバイス１３２を含む。受動型光コネクタ１１８およびストレージデバイス１３２は、ＰＣＭ１１０に関連して上述したように構成することが可能である。
【００６０】
ＰＣＭ３１０はまた、能動端３１４を含む。ＰＣＭ１１０と同様に、能動端３１４は、ファイバー対１１２の反対の（能動の）端に取り付けられた能動型光モジュール３０２を含む。能動型光モジュール３０２は、ファイバー対１１２と能動型光モジュール３０２との間に非コネクタベースの接続を用いて取り付けられる。例えば、非コネクタベースの接続は、永久的（製造された）または半永久的（スプライスされた）接続を含むが、プラギング可能および取り外し可能なコネクタ（例えば、ＬＣまたはＳＣコネクタなどのプラグジャック対）を互いにかみ合わすことによってなされる結合は含まない。 
【００６１】
また、ＰＣＭ１１０と同様に、能動型光モジュール３０２は、送信信号および受信信号が、電気的形態で、能動型光モジュール３０２に入力される、およびこれから出力される際に用いる電気コネクタ１２０を含む。電気コネクタ１２０は、ＰＣＭ１１０の電気コネクタ１２０に関連して説明したように構成される。
【００６２】
能動型光モジュール３０２はまた、信号がファイバー対１１２を介して送信および受信されるために必要な電気から光（Ｅ／Ｏ）および光から電気（Ｏ／Ｅ）への変換を実施する能動型光構成要素を含む。図３に示す例では、能動型光モジュール３０２は、光学トランシーバ３２２を含む。光学トランシーバ３２２は、光ファイバー１１２のうちの第１のものから第１の光信号を受信し、かつ電気コネクタ１２０から出力することに適切な第１の光信号から第１の（受信される）電気信号を生成する経路の一部である受信機光アセンブリ（ＲＯＳＡ）３５４を備える。光学トランシーバ３２２は、経路上で、電気コネクタ１２０からの電気送信信号を受信して、光ファイバー１１２のうちの第２のものの上で通信するために第２の（送信）光信号を出力する送信機光アセンブリ（ＴＯＳＡ）３５２をさらに備える。受信された電気信号および送信電気信号は、ＰＣＭ１１０に関連して上述したように、電気コネクタ１２０に出力／供給することが可能である。トランシーバ３２２はまた、ＴＯＳＡ３５２およびＲＯＳＡ３５４の動作を制御するコントローラ３５０を含む。コントローラ３５０は、いずれかの適切なプログラム可能プロセッサであるＦＰＧＡまたはＡＳＩＣを含み得るし、かつ、ホストデバイス１０４との通信目的で、電気コネクタ１２０上の１つ以上の回線に結合することが可能である。
【００６３】
能動型光モジュール３０２はまた、自身に結合されたストレージデバイス３５８を有するプログラム可能プロセッサ３５６を含む。プログラム可能プロセッサ３５６は、マイクロプロセッサなどのいずれかの適切なプログラム可能プロセッサを含み得るし、ストレージデバイス３５８は、個別のＩＣであり得る、または、プログラム可能プロセッサ３５６として同じＩＣ上に組み込まれ得る。この例の実装では、ストレージデバイス３５８はＥＥＰＲＯＭであるが、しかしながら、他の実装では、他の不揮発性メモリを用いることが可能である。
【００６４】
プログラム可能プロセッサ３５６は、電気コネクタ１２０によって実装される制御インターフェースを介して、ホストデバイスと通信するように構成することが可能である。電気コネクタ１２０によって実装される制御インターフェースは、ＰＣＭ１１０の制御インターフェースに関連して説明したようなものであり得る。したがって、例えば、シリアル通信プロトコル（例えば、Ｉ２Ｃバスプロトコル）を、制御インターフェース上での通信目的で用いることが可能である。
【００６５】
能動型光モジュール１０２とは対照的に、能動型光モジュール３０２では、プログラム可能プロセッサ３５６は制御インターフェースに結合される。したがって、プログラム可能プロセッサ３５６は、制御インターフェース上でデータを送出し、かつ受信するように構成される。この例の実装では、プログラム可能プロセッサ３５６は、Ｉ２Ｃバスプロトコルを用いて通信するように構成される。そのうえ、プログラム可能プロセッサ３５６は、ＰＣＭ１１０に関連して説明した能動端ストレージデバイス１２８をエミュレートするように構成される。能動端ストレージデバイス１２８をエミュレートするために、プログラム可能プロセッサ３５６は、能動端ストレージデバイス１２８用に形式化され、かつ意図され、また、能動端ストレージデバイス１２８からの直接的なものとはいえ、応答を提供するホストデバイス１０４からのコマンド（例えば、読み出しコマンドまたは書き込みコマンド）を受信するように構成される。例えば、ホストデバイス１０４からの読み出しコマンドに応答して、プログラム可能プロセッサ３５６は、ストレージデバイス３５８にアクセスして、適切なデータ（すなわち、読み出しコマンド中で識別されるメモリ位置またはフィールドに対応するデータを持つもの）を獲得して、能動端ストレージデバイス１２８からの直接的なものであるとはいえ、このデータで、ある形式で応答することが可能である。ホストデバイス１０４からの書き込みコマンドに応答して、プログラム可能プロセッサ３５６は、対応する情報をストレージデバイス３５８中に記憶することが可能である。この例の実装では、プログラム可能プロセッサ３５６は、ホストデバイス１０４に対して透明であり、それによって、ホストデバイス１０４は、能動型光モジュール１０２の場合とはなんら異なるように構成されることなく、能動型光モジュール３０２を認証し、タスクを実行することが可能である。
【００６６】
能動端ストレージデバイス１２８に関連して上述したＡＯＭ情報はストレージデバイス３５８中に記憶することが可能であり、プログラム可能プロセッサ３５６は、ホストデバイス１０４からの適切なコマンドに応答して、ＡＯＭ情報をホストデバイス１０４に提供することが可能である。すなわち、ホストデバイス１０４から見れば、能動型光モジュール３０２が、関連するＭＳＡを遵守する従来の能動型光モジュール１０２であるかのように思われる。ＰＬＭ情報はまた、図１および２に関連して上述したようにストレージデバイス３５８に記憶することが可能である。ＰＬＭ情報は、ケーブル識別子および属性情報を含み得る。プログラム可能プロセッサ３５６は制御インターフェースとストレージデバイス３５８との間をインターフェースするため、ＡＯＭ情報およびＰＬＭ情報は、任意の適切な様式でデバイス３５８に記憶することが可能であり、必ずしも、関連するＭＳＡを遵守する様式で記憶しなければならないことはないが、それは、プログラム可能プロセッサ３５６は、ホストデバイス１０４に情報を供給するときに、その情報を、ＭＳＡを遵守する形式に再形式化することが可能であるからである。ＰＬＭ情報は、物理的通信媒体３１０の製造中など、ＡＯＭ情報と同時に、ストレージデバイス３５８に記憶することが可能である。
【００６７】
能動端ストレージデバイス１２８に関連して説明したそれと類似して、ホストデバイス１０４は、能動型光素子３０２中の能動端ストレージデバイスにアクセスするように構成された制御インターフェースを介して、コマンドを送出することが可能である。プログラム可能プロセッサ３５６は、要求されたデータ（ホストデバイス１０４からのコマンド中に要求されているデータ）を、ストレージデバイス３５８から回収することが可能である。要求されたデータ（例えば、ＡＯＭ情報）に加えて、プログラム可能プロセッサ３５６は、コマンドに応答してＰＬＭ情報を含み得る。この例の１つの実装では、プログラム可能プロセッサ３５６は、ＰＬＭ情報を、ホストデバイス１０４に対して透明である様式で、応答に挿入する。 
【００６８】
ホストデバイス１０４は、能動型光モジュール３０２中の能動端ストレージデバイスと通信するように構成されているため、ホストデバイス１０４は、能動側のストレージデバイス１２８に関連して上述したように形式化された応答を受信するように構成される。例えば、ホストデバイス１０４は、関連するＭＳＡに準拠して必要とされるフィールドおよびユーザ定義されたフィールドに形式化された能動端ストレージデバイス１２８からの情報にアクセスするように構成することが可能である。他の編成構造も用いることが可能である。この例の１つの実装では、プログラム可能プロセッサ３５６は、ＰＬＭ情報をユーザ定義されたフィールドに挿入することが可能である。１つの実装では、プログラム可能プロセッサ３５６は、ユーザ定義されたフィールドのうちの１つ以上が、エミュレートされた能動端ストレージデバイスに記憶されていることを示す情報（例えば、適切なヘッダー情報）を提供することが可能である。これは、１つ以上のユーザ定義されたフィールドを要求するようにホストデバイス１０４に促すことが可能であり、プログラム可能プロセッサ３５６は、ユーザ定義されたフィールドに対応する情報（ＰＬＭ情報を含み得る）を、このような要求に応答して、ホストデバイス１０４に提供することが可能である。代替的には、プログラム可能プロセッサ３５６は、ＰＬＭ情報を、類似の様式で、エミュレートされた能動端ストレージデバイスの未割当のメモリ位置に記憶された情報として提供することが可能である。別の実装では、プログラム可能プロセッサ３５６は、ＰＬＭ情報を、エミュレートされた能動端ストレージデバイス中の要求されたフィールドに対応するＡＯＭ情報と連結させる、符号化する、または別様に含むことが可能である。例えば、ＰＬＭ情報は、ＡＯＭ識別子用に定義されたフィールド中のＡＯＭ識別子をＰＬＭ情報に提供することが可能である。ＰＬＭ情報（例えば、ケーブル識別子）またはその一部分は、ＡＯＭ識別子と連結させて、ＡＯＭ識別子によって使用されないフィールドの部分で、ホストデバイスに提供することが可能である。
【００６９】
一部の実装では、プログラム可能プロセッサ３５６は、ホストデバイス１０４からの異なるコマンドに応答して異なるＰＬＭ情報を提供するように構成することが可能である。例えば、ホストデバイス１０４に提供された特定のＰＬＭ情報は、ホストデバイス１０４がアクセスしようとしているエミュレートされた能動端ストレージデバイスのメモリ位置に基づいて判定することが可能である。この方式は、本明細書では、「アドレスベースの方式」とも呼ばれる。他の実装では、ＰＬＭ情報は、ホストデバイス１０４からのコマンドのタイミングまたは順序付けに基づいて提供することが可能である。例えば、プログラム可能プロセッサ３５６は、状態ベースのプロセスフローを実装することが可能であり、そこでは、第１のＰＬＭ情報（例えば、ケーブル識別子の第１の部分）が、第１のコマンドに応答して提供され、第２のＰＬＭ情報（例えば、ケーブル識別子の第２の、すなわち残りの部分）を、第２のコマンドに応答して提供することが可能である。この方式は、本明細書では、「状態ベースの方式」とも呼ばれる。一部の実装では、ＰＬＭ情報は、アドレスベースの方式と状態ベースの方式の双方を用いて提供することが可能である。例えば、第１のメモリアドレス（例えば、ＡＯＭ識別子に対応するもの）にアクセスしようとする第１のコマンドに応答して、第１のＰＬＭ情報を提供することが可能であり、第２のメモリアドレスにアクセスしようとする第２のコマンドに応答して、ＰＬＭ情報を提供することは不可能であり、第１のメモリアドレスにアクセスしようとする第２のメッセージに応答して、第２のＰＬＭを提供することが可能である。すなわち、第１のメモリアドレスにアクセスする第１および第２のコマンドに応答して、プロセッサ３５６は、第１および第２のＰＬＭ情報を提供することが可能である。この状態ベースの方式は、統合点１５２がホストデバイス１０４へのメッセージ（例えば、Ｌａｙｅｒ２要求）を介してプロセスフローを制御している状態で、統合点１５２とプログラム可能プロセッサ３５６との間の論理的通信チャネルとして用いることが可能である。統合点１５２とプログラム可能プロセッサ３５６とは、対応する状態ベースのプロセスフローを実装することが可能である。例えば、統合点１５２は、ホストデバイス１０４に第１のＬａｙｅｒ２要求を送出して、ホストデバイス１０４に、（例えば、エミュレートされた能動端ストレージデバイス１２８上の第１のメモリアドレスにアクセスしようとして）対応するメッセージをプログラム可能プロセッサ３５６に送出させることが可能である。プログラム可能プロセッサ３５６は、第１のＰＬＭ情報をホストデバイス１０４に提供することによって応答することが可能である。ホストデバイス１０４は、次に、Ｌａｙｅｒ２要求に応答して、第１のＰＬＭ情報を統合点１５２に送出することが可能である。統合点１５２は、別のＬａｙｅｒ２要求（第１のＬａｙｅｒ２要求と同じであり得る）を再度ホストデバイス１０４に送出して、ホストデバイス１０４に、対応するメッセージをプログラム可能プロセッサ３５６に送出させることが可能である。この第２のメッセージがプログラム可能プロセッサ３５６の状態がタイムアウトする前に受信された場合、プログラム可能プロセッサ３５６は、第２のＰＬＭ情報をホストデバイス１０４に提供することによって対応することが可能である。対応する状態がタイムアウトする前には何もメッセージが受信されない場合、プログラム可能プロセッサ３５６および統合点１５２は、初期状態に復帰することが可能である。このようにして、プログラム可能プロセッサ３５６および統合点１５２は、所望次第でＰＬＭ情報を通信し得る。
【００７０】
いずれの場合でも、ＰＬＭ情報は、プログラム可能プロセッサ３５６によってホストデバイス１０４に提供することが可能である。利点として、上記の実装は、ホストデバイス１０４に対して透明に動作するように構成され得る（すなわち、ホストデバイス１０４は、このようなＰＬＭ情報の通信に対応するように更新されるもしくは別様に修正される、または、修正された能動型光モジュール３０２を使用する必要はない）。
【００７１】
一旦ＰＬＭ情報がプログラム可能プロセッサ３５６から得られると、このＰＬＭ情報は統合点１５２に提供することが可能である。ＰＬＭ情報（例えば、ケーブル識別子）は、その対応するポート番号と共に、ＰＣＭ１１０に関連して説明した様式の任意のもので、統合点１５２に提供することが可能である。一部の実装では、統合点１５２はまた、上述したように、ホストデバイス１０４からＡＯＭ情報および／または他のホスト情報を獲得することが可能である。
【００７２】
統合点１５２は、ＰＬＭ情報（例えば、ケーブル識別子）を用いて、ホストデバイス１０４の対応するポート１０６を物理的媒体３１０と関連付けることが可能である。統合点１５２はまた、パッチパネル１０８の対応するポート１３８を、物理的媒体３１０と（例えば、受動端ストレージデバイス１３２からのケーブル識別子を通じて）関連付けることが可能である。このようにして、統合点１５２は、パッチパネル１０８の特定的なポート１３８からホストデバイス１０４の特定のポート１０６への物理層接続を判定することが可能である。
【００７３】
そのうえ、統合点１５２は、上述したのと同じ様式で、ホストデバイス１０４のポートの状態のいかなる変化も発見するように構成することが可能である。
実施例４
【００７４】
実施例４では、用いられる物理的通信媒体４１０は、実施例１および２で用いられた物理的通信媒体１１０と、実施例３で用いられた物理的通信媒体３１０とは異なる。実施例４で用いられる物理的通信媒体４１０を、図４に示す。実際には、物理的通信媒体１１０、物理的通信媒体３１０、および物理的通信媒体３１０は、同じネットワーク内で、かつ多分同じホストデバイス１０４のところで用いられ得ると理解すべきである。
【００７５】
図４は、物理的通信媒体４１０と、物理的通信媒体４１０に接続するように構成されたプラギング可能光学トランシーバ４０２との別の例を示す。物理的通信媒体４１０とプラギング可能光学トランシーバ４０２との組み合わせを、図１に関連して説明したＰＣＭ１１０の代わりに用いることが可能である。
【００７６】
図４に示す例では、物理的通信媒体４１０は、１つ以上の光ファイバー１１２を間に持つ２つの受動端１１６を有する受動型光ファイバーケーブルである。ＰＣＭ１１０に関連して説明した例としての光ファイバーのどれでも用いることが可能である。各々の受動端１１６は、ファイバー対１１２のそれぞれの端に接続され、取り付けられた受動型光ファイバーを含む。各々の受動型光コネクタ１１８は、ストレージデバイス１３２を含む。受動型光コネクタ１１８およびストレージデバイス１３２は、ＰＣＭ１１０に関連して上述したように構成することが可能である。したがって、各々の受動型光コネクタ１１８は、対応するストレージデバイス１３２がそれを介してアクセスされることが可能なストレージデバイスインターフェースを含み得る。このストレージデバイスインターフェースは、受動型光コネクタ１１８中に適切な電気接点を組み込むことによって実装することが可能である。
【００７７】
この例では、受動型光コネクタ１１８のうちの第１のものは、ＰＣＭ１１０の受動型光コネクタ１１８に関連して上述したように、パッチパネル１０８のポート１３８または他の受動型デバイスに挿入される。この第１の受動型光コネクタ１１８と関連付けられたストレージデバイス１３２からのＰＬＭ情報は、ＰＣＭ１１０の受動型光コネクタ１１８に関連して上述した様式で、統合点１５２により獲得することが可能である。したがって、統合点１５２は、第１の受動型光コネクタ１１８および／または物理的通信媒体４１０を、パッチパネル１０８の対応するポート１３８と関連付けることが可能である。能動型光コネクタ１１８の第２のものは、プラギング可能光学トランシーバ４０２のアダプタ４６０に挿入される。
【００７８】
プラギング可能光学トランシーバ４０２は、送信信号および受信信号が、電気的形態で、プラギング可能光学トランシーバ４０２に入力されるおよびそれから出力される際に用いられる電気コネクタ１２０を含む。電気コネクタ１２０は、ＰＣＭ１１０の電気コネクタ１２０に関連して説明したように構成される。プラギング可能光学トランシーバ４０２はまた、受動型光コネクタ１１８とかみ合うように構成されたアダプタ４６０を含む。アダプタ４６０および受動型光コネクタ１１８は、受動型光コネクタ１１８がアダプタ４６０に挿入されたときに、光信号が、プラギング可能光トランシーバ４０２と物理的通信媒体４１０との間で結合することが可能であるように構成される。アダプタ４６０は、二重ＬＣ、ＳＣ、またはＭＰＯアダプタなどの任意の適切な形態を有することが可能である。
【００７９】
プラギング可能光トランシーバ４０２はまた、信号が、アダプタ４６０に挿入された光ケーブル（例えば、物理的通信媒体４１０）を介して送信および受信されるために必要な電気から光（Ｅ／Ｏ）および光から電気（Ｏ／Ｅ）への変換を実施する能動型光構成要素を含む。プラギング可能光トランシーバ４０２は、能動型光モジュール３０２の光学トランシーバ３２２、ＴＯＳＡ３５２、ＲＯＳＡ３５４、およびコントローラ３５０に類似した様式で動作するＴＯＳＡ４５２、ＲＯＳＡ４５４、およびコントローラ４５０を備える光学トランシーバ４２２を含む。プラギング可能光トランシーバ４０２はまた、ストレージデバイス４５８に結合されたプログラム可能プロセッサ４５６を含む。プログラム可能プロセッサ４５６は、マイクロプロセッサなどのいずれかの適切なプログラム可能プロセッサを含み得るが、ストレージデバイス４５８は、個別のＩＣ上にあり得る、または、プログラム可能プロセッサ４５６と同じＩＣ上に組み込まれ得る。この例の実装では、ストレージデバイス４５８はＥＥＰＲＯＭであるが、しかしながら、他の実装では、他の不揮発性メモリを用いることが可能である。
【００８０】
プログラム可能プロセッサ４５６は、プログラム可能プロセッサ３５６に関連して説明したのと同じ様式で、電気コネクタ１２０によって実装される制御インターフェース上でホストデバイス１０４と通信するように構成することが可能である。そのうえ、プログラム可能プロセッサ４５６は、プログラム可能プロセッサ３５６に関連して説明したようにケーブルの能動端中のストレージデバイスをエミュレートするように構成することが可能であるか、または、プログラム可能プロセッサ３５６に関連して説明したのと類似した様式で、従来のプラギング可能光学トランシーバ中のストレージデバイスをエミュレートするように構成することが可能である。プログラム可能プロセッサ４５６はまた、電気コネクタ１２０上の制御インターフェースに結合することが可能であり、かつ、制御インターフェース上で、Ｉ２Ｃ（Ｉ自乗Ｃ）バスプロトコル制御装置を用いて通信するように構成することが可能である。
【００８１】
プログラム可能プロセッサ３５６と同様に、プログラム可能プロセッサ４５６は、ストレージデバイスをエミュレートすることによって、ＡＯＭ情報およびＰＬＭ情報をホストデバイス１０４に送出するように構成することが可能である。図４に示す例では、しかしながら、ＰＬＭ情報は、プラギング可能光学トランシーバ４０２のアダプタ４６０に挿入される第２の受動型光コネクタ１１８と関連付けられたストレージデバイス１３２から獲得される。プログラム可能プロセッサ４５６は、アダプタ４６０と関連付けられたストレージデバイスインターフェース４６２を介してストレージデバイス１３２にアクセスするように構成される。ストレージデバイスインターフェース４６２は、所与の物理的通信媒体４１０の受動型光コネクタ１１８中で用いられるストレージデバイスインターフェースとかみ合い、かつ相互動作するように構成される。プラギング可能光学トランシーバ４０２のプログラム可能プロセッサ４５６上で実行されるソフトウェアは、ストレージデバイスインターフェース４６２を用いてアダプタ４６０に接続されるいずれかの適切な受動型光コネクタ１１８と関連付けられたストレージデバイス１３２からデータを読み出し、かつそれにデータを書き込むことが可能である。このソフトウェアおよびプログラム可能プロセッサ４５６は、本明細書に引用される米国仮特許出願および米国非仮特許出願中のストレージデバイス１３２に対して読み出しおよび書き込みを実施することが可能である。
【００８２】
したがって、プログラム可能プロセッサ４５６は、第２の受動型光コネクタ１１８がアダプタ４６０に挿入されているときには、第２の受動型光コネクタ１１８と関連付けられたストレージデバイス１３２からＰＬＭ情報を獲得することが可能である。プログラム可能プロセッサ４５６は、次に、プログラム可能プロセッサ３５６に関連して説明されたのと同じ様式で、ストレージデバイス１３２から得られたＰＬＭ情報をホストデバイス１０４に提供することが可能である。ストレージデバイス１３２から得られたＰＬＭ情報は、ストレージデバイス４５８に記憶して、ホストデバイス１０４に提供するためにストレージデバイス４５８からアクセスされることが可能である。ストレージデバイス４５８に記憶される代わりにまたはそれに加えて、ＰＬＭ情報は、ホストデバイス１０４からのメッセージに応答して、ストレージデバイス４５８から、リアルタイムで獲得することが可能である。ＡＯＭ情報はストレージデバイス４５８に記憶することが可能であり、プログラム可能プロセッサ４５６は、ホストデバイス１０４からのコマンドに対応するこのようなＡＯＭ情報を獲得して、それに応答するように構成することが可能である。図３に関連して説明した様式と同様に、ストレージデバイス１３２からのＰＬＭ情報は、ストレージデバイス４５８からのＡＯＭ情報と共に（例えば、同じフィールド、異なるフィールド、または非割り当てのメモリ位置に）提供することが可能である。
【００８３】
一旦ＰＬＭ情報がホストデバイス１０４に提供されると、このＰＬＭ情報は、図３に関連して説明されたのと同じ様式で、統合点１５２に提供することが可能である。対応するポート番号と共にホストデバイス１０４から得られた第２の受動型光コネクタ１１８と関連付けられたストレージデバイス１３２のＰＬＭ情報（例えば、ケーブル識別子）は、ＰＣＭ１１０に関連して説明した様式のうちの任意のもので統合点１５２に提供することが可能である。一部の実装では、統合点１５２はまた、上述したように、ホストデバイス１０４からＡＯＭ情報および／または他のホスト情報を獲得することが可能である。
【００８４】
統合点１５２は、ＰＬＭ情報（例えば、ケーブル識別子）を用いて、ホストデバイス１０４の対応するポート１０６を物理的媒体４１０と関連付けることが可能である。統合点１５２はまた、パッチパネル１０８の対応するポート１３８を、物理的媒体４１０と（例えば、第１の受動型光コネクタ１１８と関連付けられた受動端ストレージデバイス１３２からのケーブル識別子を通じて）関連付けることが可能である。このようにして、統合点１５２は、パッチパネル１０８の特定のポート１３からホストデバイス１０４の特定のポート１０６への物理層接続を判定することが可能である。
【００８５】
利点として、ストレージデバイスインターフェース４６２をプラギング可能光コネクタ４０２に組み込んで、対応するストレージデバイス１３２からのＰＬＭ情報が、統合点１５２に提供されることを可能とすることが、ホストデバイス１０４または物理的通信媒体４１０に対する変更を必要とすることなく、パッチパネル１０８の所与のポート１３８からホストデバイス１０４の所与のポート１０６への物理層接続が識別されることを可能とする。レガシーのプラギング可能光学トランシーバをプラギング可能光学トランシーバ４０２で単純に置き換えることで、物理層管理機能を提供することが可能となる。
【００８６】
別の実装では、別のプラギング可能光学トランシーバ４０２を、物理的通信媒体４１０の「第１の」端のところで用い、それによって、物理的通信媒体４１０が、互いの端上にある２つのプラギング可能光学トランシーバ４０２に結合するようにされる。この実装では、プラギング可能光学トランシーバ４０２と物理的通信媒体４１０との組み合わせを、２つのホストデバイス１０４間に接続して、２つのホストデバイス１０４間でのこの接続のために物理層管理機能を提供するために使用されることが可能である。
【００８７】
例えば、物理的通信媒体４１０の第１の受動型光コネクタ１１８は、第１のプラギング可能光学トランシーバ４０２に接続することが可能である。物理的通信媒体４１０の第２の受動型光コネクタ１１８は、第２のプラギング可能光学トランシーバ４０２に接続することが可能である。第１のプラギング可能光学トランシーバ４０２は、（その電気コネクタ１２０を介して）第１のホストデバイス１０４のポートに接続することが可能である。第２のプラギング可能光学トランシーバ４０２は、（その電気コネクタ１２０を介して）第２のホストデバイス１０４のポートに接続することが可能である。第１のホストデバイス１０４および第２のホストデバイス１０４は、プラギング可能光学トランシーバ４０２と物理的通信媒体４１０との組み合わせ上で、信号を送出することおよび受信することが可能である。加えて、上述した様式で、統合点１５２は、物理的通信媒体４１０の第１の受動型光コネクタ１１８と関連付けられた第１のストレージデバイス１３２からのＰＬＭ情報と、第１の光学トランシーバモジュール４０２が挿入される第１のホストデバイス１０４のポートについての情報と、を獲得することが可能である。統合点１５２はまた、物理的通信媒体４１０の第２の受動型光コネクタ１１８と関連付けられた第２のストレージデバイス１３２からのＰＬＭ情報と、第２の光学トランシーバモジュール４０２が挿入される第２のホストデバイス１０４のポートについての情報と、を獲得することが可能である。統合点１５２は、この情報を統合して、第１のホストデバイス１０２の（第１の光学トランシーバモジュール４０２が挿入される）ポートと、第２のホストデバイス１０２の（第２の光学トランシーバモジュール４０２が）挿入されるポートに関連付けて、これらポート間の物理層接続を判定することが可能である。
【００８８】
特定の実施形態を本明細書に図示して説明したが、同じ目的を達成するように計算されたいかなる装置も図示する特定の実施形態によって代替され得ることが当業者によって理解されるであろう。したがって、本発明は特許請求の範囲およびその均等物によってのみ制限されることを明白に意図するものである。
【００８９】
さらなる詳細、実施形態、および実装は、全てを本明細書に参照して組み込まれる、次の米国特許出願に発見することが可能である。
【００９０】
２００９年２月１３日に出願された、「ＭＡＮＡＧＥＤ  ＣＯＮＮＥＣＴＩＶＩＴＹ  ＳＹＳＴＥＭＳ  ＡＮＤ  ＭＥＴＨＯＤＳ」という題名の米国仮特許出願第６１／１５２，６２４号（本明細書では、「‘６２４出願」とも呼ばれる）；２０１０年２月１２日に出願された、「ＡＧＧＲＥＧＡＴＩＯＮ  ＯＦ  ＰＨＹＳＩＣＡＬ  ＬＡＹＥＲ  ＩＮＦＯＲＭＡＴＩＯＮ  ＲＥＬＡＴＥＤ  ＴＯ  Ａ  ＮＥＴＷＯＲＫ」という題名の米国特許出願第１２／７０５，４９７号（本明細書では、「‘４９７出願とも呼ばれる」；２０１０年２月１２日に出願された、「ＩＮＴＥＲ−ＮＥＴＷＯＲＫＩＮＧ  ＤＥＶＩＣＥＳ  ＦＯＲ  ＵＳＥ  ＷＩＴＨ  ＰＨＹＤＩＣＡＬ  ＬＡＹＥＲ  ＩＮＦＯＲＭＡＴＩＯＮ」という題名の米国特許出願第１２／７０５，５０１号（本明細書では、‘５０１出願とも呼ばれる）；２０１０年２月１２日に出願された、「ＮＥＴＷＯＲＫ  ＭＡＮＡＧＥＭＥＮＴ  ＳＹＳＴＥＭＳ  ＦＯＲ  ＵＳＥ  ＷＩＴＨ  ＰＨＹＳＩＣＡＬ  ＬＡＹＥＲ  ＩＮＦＯＲＭＡＴＩＯＮ」という題名の米国特許出願第１２／７０５，５０６号（本明細書では、‘５０６出願とも呼ばれる）；２０１０年２月１２日に出願された、「ＭＡＮＡＧＥＤ  ＣＯＮＮＥＣＴＩＶＩＴＹ  ＤＥＶＩＣＥＳ、ＳＹＳＴＥＭＳ、ＡＮＤ  ＭＥＴＨＯＤＳ」という題名の米国特許出願第１２／７０５，５１４号（本明細書では、‘５１４出願とも呼ばれる）；２００９年１０月１６日に出願された、「ＭＡＮＡＧＥＤ  ＣＯＮＮＥＴＩＶＩＴＹ  ＩＮ  ＥＬＥＣＴＲＩＣＡＬ  ＳＹＳＴＥＭＳ  ＡＮＤ  ＭＥＴＨＯＤＳ  ＴＨＥＲＥＯＦ」という題名の米国仮特許出願第６１／２５２，３９５号（本明細書では、「‘３９５出願」とも呼ばれる）；２００９年１０月２０日に出願された、「ＥＬＥＣＴＲＩＣＡＬ  ＰＬＵＧ  ＦＯＲ  ＭＡＮＡＧＥＤ  ＣＯＮＮＥＣＴＩＶＩＴＹ  ＳＹＳＴＥＭＳ」という題名の米国仮特許出願第６１／２５３，２０８号（本明細書では、「‘２０８出願」とも呼ばれる）；２００９年１０月１９日に出願された、「ＥＬＥＣＴＲＩＣＡＬ  ＰＬＵＧ  ＦＯＲ  ＭＡＮＡＧＥＤ  ＣＯＮＮＥＣＴＩＶＩＴＹ  ＳＹＳＴＥＭＳ」という題名の米国仮特許出願第６１／２５２，９６４号（本明細書では、「‘９６４出願」とも呼ばれる）；２００９年１０月１６日に出願された、「ＭＡＮＡＧＥＤ  ＣＯＮＮＥＣＴＩＶＩＴＹ  ＩＮ  ＦＩＢＥＲ  ＯＰＴＩＣ  ＳＹＳＴＥＭＳ  ＡＮＤ  ＭＥＴＨＯＤＳ」という題名の米国仮特許出願第６１／２５２，３８６号（本明細書では、「‘３８６出願」とも呼ばれる）；２０１０年２月１２日に出願された、「ＦＩＢＥＲ  ＰＬＵＧＳ  ＡＮＤ  ＡＤＡＰＴＥＲＳ  ＦＯＲ  ＭＡＮＡＧＥＤ  ＣＯＮＮＥＣＴＩＶＩＴＹ」という題名の米国仮特許出願第６１／３０３，９６１号（「‘９６１出願」）および２０１０年２月１２日に出願された、「ＢＬＡＤＥＤ  ＣＯＭＭＵＮＩＣＡＴＩＯＮＳ  ＳＹＳＴＥＭ」という題名の米国仮特許出願第６１／３０３，９４８号（「‘９４８出願」）；２００９年１０月１９日に出願された、「ＥＬＥＣＴＲＩＣＡＬ  ＰＬＵＧ  ＦＯＲ  ＭＡＮＡＧＥＤ  ＣＯＮＮＥＣＴＩＶＩＴＹ」という題名の、代理人整理番号０２３１６．３０４５ＵＳＰ１の、米国仮特許出願第６１／２５２，９６４号；２００９年１０月２０日に出願された、「ＥＬＥＣＴＲＩＣＡＬ  ＰＬＵＧ  ＦＯＲ  ＭＡＮＡＧＥＤ  ＣＯＮＮＥＣＴＩＶＩＴＹ」という題名の、代理人整理番号０２３１６．３０４５ＵＳＰ２の、米国仮特許出願第６１／２５３，２０８号；２０１０年１０月１９日に出願され、「ＭＡＭＡＧＥＤ  ＥＬＥＣＴＲＩＣＡＬ  ＣＯＮＮＥＣＴＩＶＩＴＹ  ＳＹＳＴＥＭＳ」という題名の、代理人整理番号０２３１６．３０４５ＵＳＵ１の、米国特許出願第１２／９０７，７２４号；２０１０年２月１２日に出願された、「ＰＡＮＥＬ  ＩＮＣＬＵＤＩＮＧ  ＢＬＡＤＥ  ＦＥＡＴＵＲＥ  ＦＯＲ  ＭＡＮＡＧＥＤ  ＣＯＮＮＥＣＴＩＶＩＴＹ」という題名の、代理人整理番号０２３１６．３０６９ＵＳＰ１の、米国仮特許出願第６１／３０３，９４８号；２０１０年１１月１５日に出願された、「ＣＯＭＭＵＮＩＣＡＴＩＯＮＳ  ＢＬＡＤＥＤ  ＰＡＮＥＬ  ＳＹＳＴＥＭＳ」という題名の、代理人整理番号０２３１６．３０６９ＵＳＰ２の、米国仮特許出願第６１／４１３，８４４号；２０１１年２月４日に出願された、「ＣＯＭＭＵＮＩＣＡＴＩＯＮＳ  ＢＬＡＤＥＤ  ＰＡＮＥＬ  ＳＹＳＴＥＭＳ」という題名の、代理人整理番号０２３１６．３０６９ＵＳＰ３の、米国仮特許出願第６１／４３９，６９３号；２０１１年２月１１日に出願された、「ＣＯＭＭＵＮＩＣＡＴＩＯＮＳ  ＢＬＡＤＥＤ  ＰＡＮＥＬ  ＳＹＳＴＥＭＳ」という題名の、代理人整理番号０２３１６．３０６９ＵＳＵ１の、米国特許出願第１３／０２５，７３０号；２０１１年２月１１日に出願された、「ＣＯＭＭＵＮＩＣＡＴＩＯＮＳ  ＢＬＡＤＥＤ  ＰＡＮＥＬ  ＳＹＳＴＥＭＳ」という題名の、代理人整理番号０２３１６．３０６９ＵＳＵ２の、米国特許出願第１３／０２５，７３７号；２０１１年２月１１日に出願された、「ＣＯＭＭＵＮＩＣＡＴＩＯＮＳ  ＢＬＡＤＥＤ  ＰＡＮＥＬ  ＳＹＳＴＥＭＳ」という題名の、代理人整理番号０２３１６．３０６９ＵＳＵ３の、米国特許出願第１３／０２５，７４３号；２０１１年２月１１日に出願された、「ＣＯＭＭＵＮＩＣＡＴＩＯＮＳ  ＢＬＡＤＥＤ  ＰＡＮＥＬ  ＳＹＳＴＥＭＳ」という題名の、代理人整理番号０２３１６．３０６９ＵＳＵ４の、米国特許出願第１３／０２５，７５０号；２０１０年２月１２日に出願された、「Ｆｉｂｅｒ  Ｐｌｕｇ  Ａｎｄ  Ａｄａｐｔｅｒ  Ｆｏｒ  Ｍａｎａｇｅｄ  Ｃｏｎｎｅｃｔｉｖｉｔｙ」という題名の、代理人整理番号０２３１６．３０７１ＵＳＰ１の、米国仮特許出願第６１／３０３，９６１号；２０１０年１１月１５日に出願された、「Ｆｉｂｅｒ  Ｐｌｕｇｓ  Ａｎｄ  Ａｄａｐｔｅｒｓ  Ｆｏｒ  Ｍａｎａｇｅｄ  Ｃｏｎｎｅｃｔｉｖｉｔｙ」という題名の、代理人整理番号０２３１６．３０７１ＵＳＰ２の、米国仮特許出願第６１／４１３，８２８号；２０１１年１月２８日に出願された、「Ｆｉｂｅｒ  Ｐｌｕｇｓ  Ａｎｄ  Ａｄａｐｔｅｒｓ  Ｆｏｒ  Ｍａｎａｇｅｄ  Ｃｏｎｎｅｃｔｉｖｉｔｙ」という題名の、代理人整理番号０２３１６．３０７１ＵＳＰ３の、米国仮特許出願第６１／４３７，５０４号；２０１１年２月１１日に出願された、「Ｍａｎａｇｅｄ  Ｆｉｂｅｒ  Ｃｏｎｎｅｃｔｉｖｉｔｙ  Ｓｙｓｔｅｍｓ」という題名の、���理人整理番号０２３１６．３０７１ＵＳＵ１の、米国特許出願第１３／０２５，７８４号；２０１１年２月１１日に出願された、「Ｍａｎａｇｅｄ  Ｆｉｂｅｒ  Ｃｏｎｎｅｃｔｉｖｉｔｙ  Ｓｙｓｔｅｍｓ」という題名の、代理人整理番号０２３１６．３０７１ＵＳＵ２の、米国特許出願第１３／０２５，７８８号；２０１１年２月１１日に出願された、「Ｍａｎａｇｅｄ  Ｆｉｂｅｒ  Ｃｏｎｎｅｃｔｉｖｉｔｙ  Ｓｙｓｔｅｍｓ」という題名の、代理人整理番号０２３１６．３０７１ＵＳＵ３の、米国特許出願第１３／０２５，７９７号；２０１１年２月１１日に出願された、「Ｍａｎａｇｅｄ  Ｆｉｂｅｒ  Ｃｏｎｎｅｃｔｉｖｉｔｙ  Ｓｙｓｔｅｍｓ」という題名の、代理人整理番号０２３１６．３０７１ＵＳＵ４の、米国特許出願第１３／０２５，８４１号；２０１０年１１月１５日に出願された、「ＣＡＢＬＥ  ＭＡＮＡＧＥＭＥＮＴ  ＩＮ  ＲＡＣＫ  ＳＹＳＴＥＭＳ」という題名の、代理人整理番号０２３１６．３０９０ＵＳＰ１の、米国仮特許出願第６１／４１３，８５６号；２０１１年３月２３日に出願された、「ＣＡＢＬＥ  ＭＡＮＡＧＥＭＥＮＴ  ＩＮ  ＲＡＣＫ  ＳＹＳＴＥＭＳ」という題名の、代理人整理番号０２３１６．３０９０ＵＳＰ２の、米国仮特許出願第６１／４６６，６９６号；２００９年１０月１６日に出願された、「ＭＡＮＡＧＥＤ  ＣＯＮＮＥＣＴＩＶＩＴＹ  ＩＮ  ＥＬＥＣＴＲＩＣＡＬ  ＳＹＳＴＥＭＳ」という題名の、代理人整理番号０２３１６．３０２１ＵＳＰ１の、米国仮特許出願第６１／２５２，３９５号；２０１０年１０月１５日に出願された、「ＭＡＮＡＧＥＤ  ＣＯＮＮＥＣＴＩＶＩＴＹ  ＩＮ  ＥＬＥＣＴＲＩＣＡＬ  ＳＹＳＴＥＭＳ」という題名の、代理人整理番号０２３１６．３０２１ＵＳＵ１の、米国特許出願第１２／９０５，６８９号；２００９年１０月１６日に出願された、「ＭＡＮＡＧＥＤ  ＣＯＮＮＥＣＴＩＶＩＴＹ  ＩＮ  ＦＩＢＥＲ  ＯＰＴＩＣ  ＳＹＳＴＥＭＳ」という題名の、代理人整理番号０２３１６．３０２０ＵＳＰ１の、米国仮特許出願第６１／２５２，３８６号；２０１０年１０月１５日に出願された、「ＭＡＮＡＧＥＤ  ＣＯＮＮＥＣＴＩＶＩＴＹ  ＩＮ  ＦＩＢＥＲ  ＯＰＴＩＣ  ＳＹＳＴＥＭＳ」という題名の、代理人整理番号０２３１６．３０２０ＵＳＵ１の、米国特許出願第１２／９０５，６５８号；２０１１年３月２５日に出願された、「ＤＯＵＢＬＥ−ＢＵＦＦＥＲ  ＩＮＳＥＲＴＩＯＮ  ＣＯＵＮＴ  ＳＴＯＲＥＤ  ＩＮ  Ａ  ＤＥＶＩＣＥ  ＡＴＴＡＣＨＥＤ  ＴＯ  Ａ  ＰＨＹＳＩＣＡＬ  ＬＡＹＥＲ  ＭＥＤＩＵＭ」という題名の、代理人整理番号１００．１１７６ＵＳＰＲの、米国仮特許出願第６１／４６７，７１５号；２０１１年３月２５日に出願された、「ＤＹＮＡＭＩＣＡＬＬＹ  ＤＥＴＥＣＴＩＮＧ  Ａ  ＤＥＦＥＣＴＩＶＥ  ＣＯＮＮＥＣＴＯＲ  ＡＴ  Ａ  ＰＯＲＴ」という題名の、代理人整理番号１００．１１７７ＵＳＰＲの、米国仮特許出願第６１／４６７，７２５号；２０１１年３月２５日に出願された、「ＩＤＥＮＴＩＦＩＥＲ  ＥＮＣＯＤＩＮＧ  ＳＣＨＥＭＥ  ＦＯＲ  ＵＳＥ  ＷＩＴＨ  ＭＵＬＴＩ−ＰＡＴＨ  ＣＯＮＮＥＣＴＯＲＳ」という題名の、代理人整理番号１００．１１７８ＵＳＰＲの、米国仮特許出願��６１／４６７，７２９号；２０１１年３月２５日に出願された、「ＳＹＳＴＥＭＳ  ＡＮＤ  ＭＥＴＨＯＤＳ  ＦＯＲ  ＵＴＩＬＩＺＩＮＧ  ＶＡＲＩＡＢＬＥ  ＬＥＮＧＴＨ  ＤＡＴＡ  ＦＩＥＬＤ  ＳＴＯＲＡＧＥ  ＳＣＨＥＭＥＳ  ＯＮ  ＰＨＹＳＩＣＡＬ  ＣＯＭＭＵＮＩＣＡＴＩＯＮ  ＭＥＤＩＡ  ＳＥＧＭＥＮＴＳ」という題名の、代理人整理番号１００．１１７９ＵＳＰＲの、米国仮特許出願第６１／４６７，７３６号；ならびに２０１１年３月２５日に出願された、「ＥＶＥＮＴ−ＭＯＮＩＴＯＲＩＮＧ  ＩＮ  Ａ  ＳＹＳＴＥＭ  ＦＯＲ  ＡＵＴＯＭＡＴＩＣＡＬＬＹ  ＯＢＴＡＩＮＩＮＧ  ＡＮＤ  ＭＡＮＡＧＩＮＧ  ＰＨＹＳＩＣＡＬ  ＬＡＹＥＲ  ＩＮＦＯＲＭＡＴＩＯＮ  ＵＳＩＮＧ  Ａ  ＲＥＬＩＡＢＬＥ  ＰＡＣＫＥＴ−ＢＡＳＥＤ  ＣＯＭＭＵＮＩＣＡＴＩＯＮ  ＰＲＯＴＯＣＯＬ」という題名の、代理人整理番号１００．１１８１ＵＳＵＰＲの、米国仮特許出願第６１／４６７，７４３号。
例としての実施形態
【００９１】
実施例１は、ケーブルアセンブリであって、第１の端から第２の端に延在する少なくとも第１の光ファイバーと、非コネクタベースの接続を用いて第１の光ファイバーの第１の端に取り付けられた能動型光モジュール（ＡＯＭ）であって、電気コネクタを含み、電気コネクタへの／からの電気信号と、第１の光ファイバーの第１の端への／からの光信号との間を変換するように構成されており、電気コネクタに電気的に接続された第１のストレージデバイスを含む、能動型光モジュール（ＡＯＭ）と、第１の光ファイバーの第２の端を終端する受動型光コネクタであって、受動型光コネクタが、第１の光ファイバー上で搬送される光信号を受信するように構成され、受動型光コネクタが第２のストレージデバイスと、第２のストレージデバイスに電気的に接続されたストレージデバイスインターフェースとを含み、第２のストレージデバイスおよびストレージデバイスインターフェースが、第１の光ファイバー上で搬送される光信号から隔離される、受動型光コネクタと、を備え、第１のストレージデバイスが、能動型光モジュールを識別する、その内部に記憶されたＡＯＭ識別子を含み、第２のストレージデバイスが、第１の光ファイバーの第１の端がＡＯＭ識別子と関連付けられていることを示す、その内部に記憶された第１の情報を含み、それによって、統合点が、能動型光モジュールが挿入される第１のポートを受動型光コネクタが挿入される第２のポートに、第１のポートが、ＡＯＭ識別子と関連付けられた、その内部に挿入された能動型光モジュールを有すると判定することによって、かつ、第２のポートが、ＡＯＭ識別子と関連付けられた能動型光モジュールコネクタから反対のケーブルアセンブリの端にある、その内部に挿入された受動型光コネクタを有すると判定することによって、関連付けることが可能である、ケーブルアセンブリ、を含む。
【００９２】
実施例２は、ＡＯＭ識別子が、能動型光モジュールが接続される先のホストデバイスに対してＡＯＭを認証するために用いられる、実施例１のケーブルアセンブリを含む。
【００９３】
実施例３は、非コネクタベースの接続が、ケーブルアセンブリが製造されるときになされる永久接続と、能動型光モジュールが第１の光ファイバーにスプライスされる半永久接続のうちの１つを含む、実施例１または２のケーブルアセンブリを含む。
【００９４】
実施例４は、電気コネクタおよび能動型光モジュールが、業界合意（ＭＳＡ）に準拠するコネクタおよびモジュールを含み、受動型光コネクタが、二重ＬＣ、ＳＣ、またはＭＰＯのファイバーコネクタを含む、実施例１〜３のいずれかのケーブルアセンブリを含む。
【００９５】
実施例５は、第１のストレージデバイスが、電気コネクタの制御インターフェースを介する通信用のＩ自乗Ｃ（Ｉ２Ｃ）バスプロトコルに対応する実施例１〜４のいずれかのケーブルアセンブリを含む。
【００９６】
実施例６は、第１の情報がＡＯＭ識別子を含む、実施例１〜５のいずれかのケーブルアセンブリを含む。
【００９７】
実施例７は、システムであって、能動型光モジュール（ＡＯＭ）の電気コネクタの接続のための複数のポートを有するホストデバイスと、受動型光コネクタの接続のための複数のポートを有する受動型光相互接続部と、ホストデバイスと受動型光相互接続部との間に接続されるケーブルアセンブリであって、第１の端から第２の端に延在する少なくとも第１の光ファイバーと、非コネクタベースの接続を用いて第１の光ファイバーの第１の端に取り付けられたＡＯＭであって、能動型光モジュールが、電気コネクタに電気的に接続された第１のストレージデバイスを含み、ＡＯＭがホストデバイスの第１のポートに接続される、ＡＯＭと、第１の光ファイバーの第２の端に取り付けられた受動型光コネクタであって、受動型光コネクタが、第２のストレージデバイスと、第２のストレージデバイスに電気的に接続されたストレージデバイスインターフェースとを含み、第２のストレージデバイスおよびストレージデバイスインターフェースが、第１の光ファイバー上で搬送される光信号から隔離され、受動型光コネクタが、受動型光相互接続部の第２のポートに接続される、受動型光コネクタと、を含む、ケーブルアセンブリと、ホストデバイスに通信可能に結合された統合点と、を備え、第１のストレージデバイスが、能動型光モジュールを識別する、その内部に記憶されたＡＯＭ識別子を含み、第２のストレージデバイスが、第１の光ファイバーの第１の端がＡＯＭ識別子と関連付けられていることを示す、その内部に記憶された第１の情報を含み、ホストデバイスが、ＡＯＭ識別子を第１のストレージデバイスから獲得して、ＡＯＭ識別子を統合点に提供するように構成され、受動型光相互接続部と関連付けられたプロセッサが、第１の情報を第２のストレージデバイスから獲得して、第１の情報を統合点に提供するように構成され、統合点が、ＡＯＭ識別子および第１の情報を、第１のポートおよび第２のポートに対応する物理層情報と統合することにより、第１のポートを第２のポートと関連付けるように構成される、システムを含む。
【００９８】
実施例８は、ホストデバイスが、ＡＯＭをホストデバイスに対して認証するためにＡＯＭ識別子を獲得するように構成される、実施例７のシステムを含む。
【００９９】
実施例９は、ホストデバイスが、スイッチ、ルータ、ゲートウェイ、アクセスポイント、サーバコンピュータ、エンドユーザコンピュータ、家電コンピュータ、またはストレージエリアネットワーク（ＳＡＮ）のノードのうちの１つを備える、実施例７または８のシステムを含む。
【０１００】
実施例１０は、第１の情報がＡＯＭ識別子を含む、実施例７〜９のいずれかのシステムを含む。
【０１０１】
実施例１１は、ホストデバイスが、ホストデバイスのところのＭＩＢブロック中にＡＯＭ識別子を記憶するように構成され、統合点が、Ｌａｙｅｒ２要求をホストデバイスに対して発行することによって、ＭＩＢ中のＡＯＭ識別子を獲得するように構成される、実施例７〜１０のいずれかのシステムを含む。
【０１０２】
実施例１２は、ケーブルアセンブリであって、第１の端から第２の端に延在する少なくとも第１の光ファイバーと、非コネクタベースの接続を用いて第１の光ファイバーの第１の端に取り付けられた能動型光モジュール（ＡＯＭ）であって、電気コネクタを含み、電気コネクタへの／からの電気信号と、第１の光ファイバーの第１の端への／からの光信号との間を変換するように構成されており、かつ電気コネクタに電気的に接続される第１のストレージデバイスを含む、能動型光モジュール（ＡＯＭ）と、第１の光ファイバーの第２の端を終端する受動型光コネクタであって、受動型光コネクタが、第１の光ファイバー上で搬送される光信号を受信するように構成され、受動型光コネクタが第２のストレージデバイスと、第２のストレージデバイスに電気的に接続されたストレージデバイスインターフェースとを含み、第２のストレージデバイスおよびストレージデバイスインターフェースが、第１の光ファイバー上で搬送される光信号から隔離される、受動型光コネクタと、を備え、第１のストレージデバイスが、ケーブルアセンブリを識別する、その内部に記憶されたケーブル識別子と、ＡＯＭを識別する、その内部に記憶されたＡＯＭ識別子とを含み、ＡＯＭ識別子は、ＡＯＭをホストデバイスに対して認証するためのものであり、ケーブル識別子は、物理層管理のためのものであり、ケーブル識別子は、ＡＯＭ情報のためには用いられない第１のストレージデバイスのメモリ位置に記憶され、第２のストレージデバイスが、その内部に記憶されたケーブル識別子を含み、それによって、統合点が、能動型光モジュールが挿入される第１のポートを受動型光コネクタが挿入される第２のポートに、第１のポートが、ケーブル識別子と関連付けられた、その内部に挿入された能動型光モジュールを有すると判定することによって、かつ、第２のポートが、ケーブル識別子と関連付けられた、その内部に挿入された受動型光コネクタを有すると判定することによって、関連付けることが可能である、ケーブルアセンブリを含む。
【０１０３】
実施例１３は、第１のストレージデバイス中の情報が複数のフィールドに編成され、ＡＯＭ識別子が、業界合意（ＭＳＡ）によって必要とされる第１のフィールドに記憶されて、ＡＯＭ識別子に割り当てられ、ケーブル識別子が、ＭＳＡによって必要とされない第２のフィールド中に記憶される、実施例１２のケーブルアセンブリを含む。
【０１０４】
実施例１４は、第１のストレージデバイス中の情報が複数のフィールドに編成され、ＡＯＭ識別子およびケーブル識別子が、ＭＳＡによって必要とされる第１のフィールドに記憶されて、ＡＯＭ識別子に割り当てられる、実施例１２または１３のケーブルアセンブリを含む。
【０１０５】
実施例１５は、ケーブル識別子が、ホストデバイスによる認証のためのＡＯＭ識別子の使用に影響しない様式でＡＯＭ識別子と組み合わされる、実施例１４のケーブルアセンブリを含む。
【０１０６】
実施例１６は、第１のストレージデバイス中の情報が複数のフィールドに編成され、ＡＯＭ識別子が、ＭＳＡによって必要とされる第１のフィールドに記憶されて、ＡＯＭ識別子に割り当てられ、ケーブル識別子が、複数のフィールドのうちの１つの部分ではない未割当スペースに記憶される、実施例１２〜１５のいずれかのケーブルアセンブリを含む。
【０１０７】
実施例１７は、ケーブルアセンブリであって、第１の端から第２の端に延在する少なくとも第１の光ファイバーと、非コネクタベースの接続を用いて第１の光ファイバーの第１の端に取り付けられた能動型光モジュール（ＡＯＭ）であって、電気コネクタであって、能動型光モジュールが、電気コネクタへの／からの電気信号と、第１の光ファイバーの第１の端への／からの光信号との間を変換するように構成された、電気コネクタと、電気コネクタの１つ以上の接点に結合されるプログラム可能プロセッサと、プログラム可能プロセッサに結合された第１のストレージデバイスであって、ケーブルアセンブリを識別する、その内部に記憶されたケーブル識別子と、ＡＯＭを識別する、その内部に記憶されたＡＯＭ識別子とを含み、ＡＯＭ識別子が、ＡＯＭを、電気コネクタに接続されたホストデバイスに対して認証するためのものであり、ケーブル識別子が、物理層管理のためのものである、第１のストレージデバイスと、を備え、プログラム可能プロセッサが、第１のストレージデバイスにアクセスするように構成され、ＡＯＭ識別子を要求したホストデバイスからの読み出しメッセージに応答して、プログラム可能プロセッサは、ケーブル識別子の少なくとも一部分をＡＯＭ識別子によって使用されない返送メッセージの一部分に挿入するように構成された能動型光モジュール（ＡＯＭ）と、第１の光ファイバーの第２の端を終端する受動型光コネクタであって、第１の光ファイバー上で搬送される光信号を受信するように構成され、第２のストレージデバイスと、第２のストレージデバイスに電気的に接続されたストレージデバイスインターフェースとを含み、第２のストレージデバイスおよびストレージデバイスインターフェースが、第１の光ファイバー上で搬送される光信号から隔離され、第２のストレージデバイスが、その内部に記憶されたケーブル識別子を含む、受動型光コネクタと、を備え、それによって、統合点が、能動型光モジュールが挿入される第１のポートを受動型光コネクタが挿入される第２のポートに対して、第１のポートが、ケーブル識別子と関連付けられた、その内部に挿入された能動型光モジュールを有すると判定することによって、かつ、第２のポートが、ケーブル識別子と関連付けられた、その内部に挿入された受動型光コネクタを有すると判定することによって、関連付けることが可能である、ケーブルアセンブリを含む。
【０１０８】
実施例１８は、ケーブル識別子の少なくとも一部分が、ＡＯＭ識別子に割り当てられた返送メッセージ中のフィールドに挿入され、ケーブルの少なくとも一部分が、ＡＯＭ識別子によって用いられないフィールドの部分に挿入される、実施例１７のケーブルアセンブリを含む。
【０１０９】
実施例１９は、ケーブル識別子の少なくとも一部分が、ＡＯＭ識別子と連結される、実施例１８に記載のケーブルアセンブリを含む。
【０１１０】
実施例２０は、プラギング可能光学トランシーバであって、電気信号を通信するための第１の端のところの電気コネクタと、１つ以上の光ファイバーへの／からの光信号を通信するための第２の端のところの１つ以上の光アダプタと、第２の端のところのストレージデバイスインターフェースであって、１つ以上の光ファイバー上の対応するストレージデバイスインターフェースに接触するように構成される、ストレージデバイスインターフェースと、１つ以上の光ファイバー上で送信するために、電気コネクタからの電気信号を光信号に変換する送信機光アセンブリ（ＴＯＳＡ）と、電気コネクタから送出するために、１つ以上の光ファイバーからの光信号を電気信号に変換する受信機光アセンブリ（ＲＯＳＡ）と、ＴＯＳＡおよびＲＯＳＡを制御するコントローラと、ストレージデバイスインターフェースと、電気コネクタの１つ以上の接点とに結合されたプログラム可能プロセッサであって、ストレージデバイスインターフェースを介して１つ以上の光ファイバーでストレージデバイスにアクセスして、それから得られた物理層管理（ＰＬＭ）情報を電気コネクタに接続されたホストデバイスに提供するように構成された、プログラム可能プロセッサと、を備える、プラギング可能光学トランシーバを含む。
【０１１１】
実施例２１は、プログラム可能プロセッサに結合された第２のストレージデバイスを備え、ＡＯＭ情報がプラギング可能光学トランシーバをホストデバイスに対して認証するために、第２のストレージデバイス中に記憶され、プログラム可能プロセッサが、ＡＯＭ情報をホストデバイスに提供するように構成される、実施例２０のプラギング可能光学トランシーバを含む。
【０１１２】
実施例２２は、プログラム可能プロセッサが、ホストデバイスからの読み出しメッセージに応答して、ＡＯＭ情報をホストデバイスに提供するように構成される、実施例２１のプラギング可能光学トランシーバを含む。
【０１１３】
実施例２３は、プログラム可能プロセッサが、ＡＯＭ情報と共に、ＰＬＭ情報の少なくとも一部分をホストデバイスに提供するように構成される、実施例２２のプラギング可能光学トランシーバを含む。
【０１１４】
実施例２４は、プログラム可能プロセッサが、ＰＬＭ情報の少なくとも一部分を、ＡＯＭ情報によって用いられない返送メッセージの一部分に挿入するように構成される、実施例２３のプラギング可能光学トランシーバを含む。
【０１１５】
実施例２５は、ＰＬＭ情報がケーブル識別子を含む、実施例２４のプラギング可能光学トランシーバを含む。
【０１１６】
実施例２６は、ＡＯＭ情報がＡＯＭ識別子を含み、ＰＬＭ情報の少なくとも一部分が、ＡＯＭ識別子に割り当てられた返送メッセージ中のフィールドに挿入され、ＰＬＭ情報の少なくとも一部分が、ＡＯＭ識別子によって用いられないフィールドの部分に挿入される、実施例２４または２５のプラギング可能光学トランシーバを含む。
【０１１７】
実施例２７は、ＰＬＭ情報の少なくとも一部分がＡＯＭ識別子と連結される、実施例２６のプラギング可能光学トランシーバを含む。
【０１１８】
実施例２８は、システムであって、ホストデバイスと、ホストデバイスに接続されたプラギング可能光学トランシーバであって、電気信号を通信するための第１の端のところの電気コネクタであって、ホストデバイスの第１のポートに接続された、電気コネクタと、光信号を通信するための、第２の端のところの１つ以上の光アダプタと、第２の端のところの第１のストレージデバイスインターフェースと、第１のストレージデバイスインターフェースと、電気コネクタの１つ以上の接点とに結合されたプログラム可能プロセッサと、を含むプラギング可能光学トランシーバと、第１の端上に第１の受動型光コネクタを有する光ファイバーケーブルであって、第１の受動型光コネクタが、第１のストレージデバイスと、これと関連付けられた第２のストレージデバイスインターフェースとを有し、第１の受動型光コネクタが、プラギング可能光学トランシーバの１つ以上の光アダプタに接続され、第２のストレージデバイスインターフェースが、第１のストレージデバイスインターフェースに接触する、光ファイバーケーブルと、ホストデバイスに通信可能に結合された統合点と、を備え、プログラム可能プロセッサが、第１のストレージデバイスインターフェースを介して光ファイバーケーブルで第１のストレージデバイスにアクセスして、それから得られた物理層管理（ＰＬＭ）情報をホストデバイスに提供するように構成され、ホストデバイスが、プラギング可能光学トランシーバに読み出しメッセージを送出して、それからＡＯＭ情報を獲得するように構成され、プラギング可能光学トランシーバのプログラム可能プロセッサが、ホストデバイスからの読み出しメッセージに応答して、返送メッセージ中にＡＯＭ情報と共に、第１のストレージデバイスから得られたＰＬＭ情報を含むように構成され、ホストデバイスが、ＰＬＭ情報を統合点に提供するように構成される、システムを含む。
【０１１９】
実施例２９は、ホストデバイスが、ＡＯＭ情報およびＰＬＭ情報を、ホストデバイスのところのＭＩＢブロック中に記憶するように構成され、統合点が、Ｌａｙｅｒ２要求をホストデバイスに対して発行することによって、ＭＩＢ中のＰＬＭ情報を獲得するように構成される、実施例２８のシステムを含む。
【０１２０】
実施例３０は、ＰＬＭ情報が、ＡＯＭ情報で用いられない読み出しメッセージの一部分に挿入される、実施例２８または２９のシステムを含む。
【０１２１】
実施例３１は、プログラム可能プロセッサが、１つ以上の接点上でホストデバイスに送出されるメッセージ用のＩ２Ｃ（Ｉ自乗Ｃ）インターフェースに適合するように構成される、実施例２８〜３０のいずれかのシステムを含む。
【０１２２】
実施例３２は、ＡＯＭ情報がＡＯＭ識別子を含み、ＰＬＭ情報がケーブル識別子を含む、実施例２８〜３１のいずれかのシステムを含む。
【０１２３】
実施例３３は、受動型光コネクタの接続のための複数のポートを有する受動型光相互接続部を備え、光ファイバーケーブルが、第２の端上に第２の受動型光コネクタを含み、第２の受動型光コネクタが、受動型光相互接続部の第２のポートに接続され、第２の受動光コネクタが、それと関連付けられた第２のストレージデバイスを有し、受動型光相互接続部と関連付けられたプロセッサが、第２のストレージデバイスから第２のＰＬＭ情報を獲得して第２のＰＬＭ情報を統合点に提供するように構成され、統合点が、第１のストレージデバイスからのＰＬＭ情報および第２のストレージデバイスからの第２のＰＬＭ情報を、第１のポートおよび第２のポートに対応する物理層情報と統合することによって、第１のポートを第２のポートに関連付けるように構成される、実施例２８〜３２のいずれかのシステムを含む。
【図１】
2015531103.tif 000003
【図２】
2015531103.tif 000004
【図３】
2015531103.tif 000005
【図４】
2015531103.tif 000006
【国際調査報告】
2015531103.tif 000007
2015531103.tif 000008